(57)【特許請求の範囲】
【請求項１】
建物内部の各作業エリアの温度を個別にコントロールする作業エリア温度コントロールシステムにおいて、
前記作業エリア温度コントロールシステムが、空調装置に接続されて前記作業エリアに向かって空調空気を送気する吹出口と、前記作業エリアを除くその近傍の温度を計測する温度センサと、前記作業エリアを除くその近傍の湿度を計測する湿度センサと、前記空調装置を制御するコントローラとから形成され、
前記コントローラが、前記作業エリアを除くその近傍の任意に設定された周囲温度と前記作業エリアを除くその近傍の任意に設定された周囲湿度と前記吹出口から前記作業エリアまでの離間距離と前記吹出口から送気される空調空気の送気温度との関連を示すとともに、前記作業エリアを新標準有効温度（ＳＥＴ＊）の快適範囲内にするための複数の適用条件データを記憶する適用条件データ記憶手段と、それらセンサから出力された前記温度および前記湿度と前記吹出口から前記作業エリアまでの実測離間距離とを前記適用条件データに当て嵌めて前記吹出口から送気する空調空気の最適送気温度を決定する最適送気温度決定手段と、決定した最適送気温度の空調空気を前記吹出口から送気し得るように前記空調装置を制御する送気温度制御手段とを有することを特徴とする作業エリア温度コントロールシステム。
【請求項２】
前記コントローラが、前記周囲温度と前記周囲湿度と前記吹出口における任意に設定された風速と前記吹出口における任意に設定された送気温度と前記吹出口における任意に設定された湿度とを使用し、前記吹出口における送気温度を変更しつつＣＦＤ（Computational Fluid Dynamics）解析を行って前記吹出口から任意の距離の温度、湿度、風速を求めるＣＦＤ解析手段と、前記ＣＦＤ解析手段によって求めた温度、湿度、風速と、前記周囲温度と前記作業エリアを除くその近傍の放射温度との差と、前記作業エリアで作業する作業者の着衣量と、前記作業者の代謝量とを用いて前記吹出口から任意の距離の新標準有効温度（ＳＥＴ＊）を算出し、算出した前記新標準有効温度が２２．２〜２５．６℃となる前記吹出口から前記作業エリアまでの前記離間距離を決定する離間距離決定手段とを含む請求項１に記載の作業エリア温度コントロールシステム。
【請求項３】
前記最適送気温度決定手段では、前記センサから出力された前記温度と前記湿度とのうちの少なくとも一方に対応する前記周囲温度および前記周囲湿度が前記適用条件データに存在しない場合、前記センサから出力された前記温度および前記湿度に近似する前記適用条件データの前記周囲温度および前記周囲湿度を採用し、その周囲温度およびその周囲湿度と前記吹出口から前記作業エリアまでの実測離間距離とを前記適用条件データに当て嵌めて前記吹出口から送気する空調空気の最適送気温度を決定する請求項１または請求項２に記載の作業エリア温度コントロールシステム。
【請求項４】
前記コントローラが、前記適用条件データにおいて特定の周囲温度が欠落している場合、その欠落した周囲温度に隣接する周囲温度を用いて線形補間を行い、その欠落した周囲温度に対応する前記離間距離を求める第１補間手段を含む請求項２に記載の作業エリア温度コントロールシステム。
【請求項５】
前記最適送気温度決定手段では、欠落した周囲温度に対応する前記離間距離を前記第１補間手段によって求めたときに、欠落した周囲温度に対応する離間距離の範囲内に前記最適送気温度が入っていると、それら最適送気温度のうちの最も高い温度の最適送気温度を選択し、前記送気温度制御手段では、前記最適送気温度決定手段によって選択された最も高い温度の最適送気温度の空調空気を前記吹出口から送気し得るように前記空調装置を制御する請求項４に記載の作業エリア温度コントロールシステム。
【請求項６】
前記コントローラが、前記適用条件データにおいて特定の送気温度が欠落している場合、その欠落した送気温度に隣接する送気温度を用いて線形補間を行い、その欠落した送気温度に対応する前記離間距離を求める第２補間手段を含む請求項２、請求項４、請求項５いずれかに記載の作業エリア温度コントロールシステム。
【請求項７】
前記最適送気温度決定手段では、欠落した送気温度に対応する前記離間距離を前記第２補間手段によって求めたときに、欠落した送気温度に対応する離間距離の範囲内に前記最適送気温度が入っていると、それら最適送気温度のうちの最も高い温度の最適送気温度を選択し、前記送気温度制御手段では、前記最適送気温度決定手段によって選択された最も高い温度の最適送気温度の空調空気を前記吹出口から送気し得るように前記空調装置を制御する請求項６に記載の作業エリア温度コントロールシステム。
【請求項８】
前記コントローラが、前記適用条件データにおいて特定の周囲湿度が欠落している場合、その欠落した周囲湿度に隣接する周囲湿度を用いて線形補間を行い、その欠落した周囲湿度に対応する前記離間距離を求める第３補間手段を含む請求項２、請求項４ないし請求項７いずれかに記載の作業エリア温度コントロールシステム。
【請求項９】
前記最適送気温度決定手段では、欠落した周囲湿度に対応する前記離間距離を前記第３補間手段によって求めたときに、欠落した周囲湿度に対応する離間距離の範囲内に前記最適送気温度が入っていると、それら最適送気温度のうちの最も高い温度の最適送気温度を選択し、前記送気温度制御手段では、前記最適送気温度決定手段によって選択された最も高い温度の最適送気温度の空調空気を前記吹出口から送気し得るように前記空調装置を制御する請求項８に記載の作業エリア温度コントロールシステム。
【発明の詳細な説明】
【技術分野】
【０００１】
本発明は、建物内部に設けられた所定容積の各作業エリアの温度を個別にコントロールする作業エリア温度コントロールシステムに関する。
【背景技術】
【０００２】
室内空間を冷房または暖房する空調機と、室内空間において人が存在する領域へスポット的に空気流を生じさせる送風を行う送風機構とから形成された空調システムがある（特許文献１参照）。送風機構は、少なくとも第１の空気流発生条件で送風を行わせる第１の送風モードと、第１の空気流発生条件とは発生条件を異ならせた第２の空気流発生条件で送風を行わせる第２の送風モードとを選択可能とした制御機構と、第１の送風モードでの送風を行わせる第１の送風ノズルと、第２の送風モードでの送風を行わせる第２の送風ノズルとを備え、夏期に第１の送風モードを選択し、冬期に第２の送風モードを選択する。第１の送風ノズルは、スポット的に空気流を生じさせる領域の比較的近傍部から広角的な空気吹き出しを行うノズルであり、第２の送風ノズルは、スポット的に空気流を生じさせる領域の比較的遠隔部から指向性の高い空気吹き出しを行うノズルである。
【０００３】
第１の送風モードでは、設定温度を中心として冷房が効きすぎると感じられる温度（ＰＭＶ下限温度）と冷房効果が弱い（暑い）と感じられる温度（ＰＭＶ上限温度）とが設定され、室内空間の温度をそのＰＭＶ上限・下限温度範囲内に維持する。第２の送風モードでは、設定温度を中心として暖房が効きすぎて暑いと感じられる温度（ＰＭＶ上限温度）と暖房効果が弱い（寒い）と感じられる温度（ＰＭＶ下限温度）とが設定され、室内空間の温度をそのＰＭＶ上限・下限温度範囲内に維持する。この空調システムは、送風機構においてスポット的な空気流を生じさせることで、夏期では室内に存在する人の体感温度を下げることができ、冬期では室内の上部に滞留する暖気を対流させて暖房効率を向上させることができる。
【先行技術文献】
【特許文献】
【０００４】
【特許文献１】特開２００６−１２５７５４号公報
【発明の概要】
【発明が解決しようとする課題】
【０００５】
前記公報に開示の空調システムは、室内空間のＰＭＶ（予測平均温冷感）を評価し、室内空間の温度をそのＰＭＶ上限・下限温度範囲内に維持するが、暑熱環境下においてＰＭＶによる評価を行うと、その上限値である＋３を超える場合があり、室内空間の快適性を満足することができないおそれがある。また、暑熱環境下において送風のみによる冷却では快適な室内空間を作ることが難しい。
【０００６】
本発明の目的は、建物の内部空間に形成された所定容積の作業エリアの体感温度を快適に維持することができ、快適な作業エリアを作ることができるとともに、作業エリアの温度をそこで作業する作業者に適した温度に維持することができる作業エリア温度コントロールシステムを提供することにある。
【課題を解決するための手段】
【０００７】
前記課題を解決するための本発明の前提は、建物内部の各作業エリアの温度を個別にコントロールする作業エリア温度コントロールシステムである。
【０００８】
前記前提における本発明の特徴としては、作業エリア温度コントロールシステムが、空調装置に接続されて作業エリアに向かって空調空気を送気する吹出口と、作業エリアを除くその近傍の温度を計測する温度センサと、作業エリアを除くその近傍の湿度を計測する湿度センサと、空調装置を制御するコントローラとから形成され、コントローラが、作業エリアを除くその近傍の任意に設定された周囲温度と作業エリアを除くその近傍の任意に設定された周囲湿度と吹出口から作業エリアまでの離間距離と吹出口から送気される空調空気の送気温度との関連を示すとともに、作業エリアを新標準有効温度（ＳＥＴ＊）の快適範囲内にするための複数の適用条件データを記憶する適用条件データ記憶手段と、それらセンサから出力された温度および湿度と吹出口から作業エリアまでの実測離間距離とを適用条件データに当て嵌めて吹出口から送気する空調空気の最適送気温度を決定する最適送気温度決定手段と、決定した最適送気温度の空調空気を吹出口から送気し得るように空調装置を制御する送気温度制御手段とを有することにある。
【０００９】
本発明の一例としては、コントローラが、周囲温度と周囲湿度と吹出口における任意に設定された風速と吹出口における任意に設定された送気温度と吹出口における任意に設定された絶対湿度とを使用し、吹出口における送気温度を変更しつつＣＦＤ（Computational Fluid Dynamics）解析を行って吹出口から任意の距離の温度、湿度、風速を求めるＣＦＤ解析手段と、ＣＦＤ解析手段によって求めた温度、湿度、風速と、周囲温度と作業エリアを除くその近傍の放射温度との差と、作業エリアで作業する作業者の着衣量と、作業者の代謝量とを用いて吹出口から任意の距離の新標準有効温度（ＳＥＴ＊）を算出し、算出した新標準有効温度が２２．２〜２５．６℃となる吹出口から作業エリアまでの離間距離を決定する離間距離決定手段とを含む。
【００１０】
本発明の他の一例として、最適送気温度決定手段では、センサから出力された温度と湿度とのうちの少なくとも一方に対応する周囲温度および周囲湿度が適用条件データに存在しない場合、センサから出力された温度および湿度に近似する適用条件データの周囲温度および周囲湿度を採用し、その周囲温度およびその周囲湿度と吹出口から作業エリアまでの実測離間距離とを適用条件データに当て嵌めて吹出口から送気する空調空気の最適送気温度を決定する。
【００１１】
本発明の他の一例として、コントローラは、適用条件データにおいて特定の周囲温度が欠落している場合、その欠落した周囲温度に隣接する周囲温度を用いて線形補間を行い、その欠落した周囲温度に対応する離間距離を求める第１補間手段を含む。
【００１２】
本発明の他の一例として、最適送気温度決定手段では、欠落した周囲温度に対応する離間距離を第１補間手段によって求めたときに、欠落した周囲温度に対応する離間距離の範囲内に最適送気温度が入っていると、それら最適送気温度のうちの最も高い温度の最適送気温度を選択し、送気温度制御手段では、最適送気温度決定手段によって選択された最も高い温度の最適送気温度の空調空気を吹出口から送気し得るように空調装置を制御する。
【００１３】
本発明の他の一例として、コントローラは、適用条件適用データにおいて特定の送気温度が欠落している場合、その欠落した送気温度に隣接する送気温度を用いて線形補間を行い、その欠落した送気温度に対応する離間距離を求める第２補間手段を含む。
【００１４】
本発明の他の一例として、最適送気温度決定手段では、欠落した送気温度に対応する離間距離を第２補間手段によって求めたときに、欠落した送気温度に対応する離間距離の範囲内に最適送気温度が入っていると、それら最適送気温度のうちの最も高い温度の最適送気温度を選択し、送気温度制御手段では、最適送気温度決定手段によって選択された最も高い温度の最適送気温度の空調空気を吹出口から送気し得るように空調装置を制御する。
【００１５】
本発明の他の一例として、コントローラは、適用条件データにおいて特定の周囲湿度が欠落している場合、その欠落した周囲湿度に隣接する周囲湿度を用いて線形補間を行い、その欠落した周囲湿度に対応する離間距離を求める第３補間手段を含む。
【００１６】
本発明の他の一例として、最適送気温度決定手段では、欠落した周囲湿度に対応する離間距離を第３補間手段によって求めたときに、欠落した周囲湿度に対応する離間距離の範囲内に最適送気温度が入っていると、それら最適送気温度のうちの最も高い温度の最適送気温度を選択し、送気温度制御手段では、最適送気温度決定手段によって選択された最も高い温度の最適送気温度の空調空気を吹出口から送気し得るように空調装置を制御する。
【発明の効果】
【００１７】
本発明にかかる作業エリア温度コントロールシステムによれば、作業エリアを新標準有効温度（ＳＥＴ＊）の快適範囲内にするための適用条件データにセンサから出力された温度および湿度と実測離間距離とを当て嵌め、吹出口から送気する空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の快適範囲内にすることができ、作業エリアの体感温度を快適に維持することができる。このシステムは、作業エリアの温度を新標準有効温度（ＳＥＴ＊）の快適範囲内にすることで、エリアで作業する作業者にとって快適な作業エリアを作ることができ、作業エリアの温度を作業者の作業に適した温度に維持することができる。
【００１８】
周囲温度と周囲湿度と吹出口における風速と吹出口における送気温度と吹出口における絶対湿度とを用いてＣＦＤ（Computational Fluid Dynamics）解析を行い、吹出口から任意の距離の温度、湿度、風速を求めた後、ＣＦＤ解析によって求めた温度、湿度、風速と、周囲温度と作業エリアを除くその近傍の放射温度との差と、作業者の着衣量と、作業者の代謝量とを用いて吹出口から任意の距離の新標準有効温度（ＳＥＴ＊）を算出し、その新標準有効温度が２２．２〜２５．６℃となる吹出口から作業エリアまでの離間距離を決定する作業エリア温度コントロールシステムは、ＣＦＤ解析によって流れ方程式の近似解を求めるとともに、体感レベルでの温度を表示する新標準有効温度（ＳＥＴ＊）を算出し、その新標準有効温度（ＳＥＴ＊）が快適となる離間距離を決定するから、作業エリアを新標準有効温度（ＳＥＴ＊）の快適範囲内にするための最適な適用条件データを作ることができる。このシステムは、作業エリアを新標準有効温度（ＳＥＴ＊）の快適範囲内にするための適用条件データにセンサから出力された温度および湿度と実測離間距離とを当て嵌め、吹出口から送気する空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の最適範囲内にすることができ、作業エリアの体感温度を快適に維持することができる。このシステムは、作業エリアの温度を新標準有効温度（ＳＥＴ＊）の快適範囲内にすることで、作業エリアの温度をそこで作業する作業者の作業に適した温度に維持することができ、エリアで作業する作業者にとって快適な作業エリアを作ることができる。
【００１９】
センサから出力された温度と湿度とのうちの少なくとも一方に対応する周囲温度および周囲湿度が適用条件データに存在しない場合、センサから出力された温度および湿度に近似する適用条件データの周囲温度および周囲湿度を採用し、その周囲温度およびその周囲湿度と吹出口から作業エリアまでの実測離間距離とを適用条件データに当て嵌めて吹出口から送気する空調空気の最適送気温度を決定する作業エリア温度コントロールシステムは、適用条件データにセンサから出力された温度と湿度とに対応する周囲温度および周囲湿度が存在しなくても、その温度およびその湿度に近似する周囲温度および周囲湿度を採用して空調空気の最適送気温度を決定するから、適用条件データにすべての周囲温度および周囲湿度と離間距離と送気温度との関連を求める手間を省くことができる。このシステムは、センサから出力された温度および湿度に近似する周囲温度および周囲湿度を採用して空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の最適範囲内にすることができ、作業エリアの体感温度を快適に維持することができる。
【００２０】
適用条件データにおいて特定の周囲温度が欠落している場合、その欠落した周囲温度に隣接する周囲温度を用いて線形補間を行い、その欠落した周囲温度に対応する離間距離を求める作業エリア温度コントロールシステムは、線形補間によって適用条件データから欠落した周囲温度に対応する離間距離を求めるから、適用条件データにおいてすべての周囲温度とそれに対応する離間距離とを網羅することができ、周囲温度やそれに対応する離間距離の欠落のない適用条件データを作ることができる。このシステムは、周囲温度やそれに対応する離間距離の欠落のない適用条件データにセンサから出力された温度および湿度と実測離間距離とを当て嵌め、吹出口から送気する空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の最適範囲内にすることができ、作業エリアの体感温度を快適に維持することができる。
【００２１】
欠落した周囲温度データに対応する離間距離を求めたときに、欠落した周囲温度に対応する離間距離の範囲内に最適送気温度が入っていると、それら最適送気温度のうちの最も高い温度の最適送気温度を選択し、選択した最も高い温度の最適送気温度の空調空気を吹出口から送気し得るように空調装置を制御する作業エリア温度コントロールシステムは、それら周囲温度に対応する複数の離間距離の範囲内に最適送気温度が入っていたとしても、そのうちの最も高い温度の最適送気温度を採用するから、最も低い温度の最適送気温度を採用する場合と比較し、空調装置の出力を減少させることができ、システムにおけるエネルギーの消費を減少させることができる。
【００２２】
適用条件データにおいて特定の送気温度が欠落している場合、その欠落した送気温度に隣接する送気温度を用いて線形補間を行い、その欠落した送気温度に対応する離間距離を求める作業エリア温度コントロールシステムは、線形補間によって適用条件データから欠落した送気温度に対応する離間距離を求めるから、適用条件データにおいてすべての送気温度とそれに対応する離間距離とを網羅することができ、送気温度やそれに対応する離間距離の欠落のない適用条件データを作ることができる。このシステムは、送気温度やそれに対応する離間距離の欠落のない適用条件データにセンサから出力された温度および湿度と実測離間距離とを当て嵌め、吹出口から送気する空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の最適範囲内にすることができ、作業エリアの体感温度を快適に維持することができる。
【００２３】
欠落した送気温度データに対応する離間距離を求めたときに、欠落した送気温度に対応する離間距離の範囲内に最適送気温度が入っていると、それら最適送気温度のうちの最も高い温度の最適送気温度を選択し、選択した最も高い温度の最適送気温度の空調空気を吹出口から送気し得るように空調装置を制御する作業エリア温度コントロールシステムは、それら送気温度に対応する複数の離間距離の範囲内に最適送気温度が入っていたとしても、そのうちの最も高い温度の最適送気温度を採用するから、最も低い温度の最適送気温度を採用する場合と比較し、空調装置の出力を減少させることができ、システムにおけるエネルギーの消費を減少させることができる。
【００２４】
適用条件データにおいて特定の周囲湿度が欠落している場合、その欠落した周囲湿度に隣接する周囲湿度を用いて線形補間を行い、その欠落した周囲湿度に対応する離間距離を求める作業エリア温度コントロールシステムは、線形補間によって適用条件データから欠落した周囲湿度に対応する離間距離を求めるから、適用条件データにおいてすべての周囲湿度とそれに対応する離間距離とを網羅することができ、周囲湿度やそれに対応する離間距離の欠落のない適用条件データを作ることができる。このシステムは、周囲湿度やそれに対応する離間距離の欠落のない適用条件データにセンサから出力された温度および湿度と実測離間距離とを当て嵌め、吹出口から送気する空調空気の最適送気温度を決定し、決定した最適送気温度の空調空気を吹出口から送気し得るように空調装置を制御するから、建物の内部空間に形成された所定容積の作業エリアの温度を新標準有効温度（ＳＥＴ＊）の最適範囲内にすることができ、作業エリアの体感温度を快適に維持することができる。
【００２５】
欠落した周囲湿度データに対応する離間距離を求めたときに、欠落した周囲湿度に対応する離間距離の範囲内に最適送気温度が入っていると、それら最適送気温度のうちの最も高い温度の最適送気温度を選択し、選択した最も高い温度の最適送気温度の空調空気を吹出口から送気し得るように空調装置を制御する作業エリア温度コントロールシステムは、それら周囲絶対湿度に対応する複数の離間距離の範囲内に最適送気温度が入っていたとしても、そのうちの最も高い温度の最適送気温度を採用するから、最も低い温度の最適送気温度を採用する場合と比較し、空調装置の出力を減少させることができ、システムにおけるエネルギーの消費を減少させることができる。
【図面の簡単な説明】
【００２６】
【図１】一例として示す作業エリア温度コントローラシステムの構成図。
【図２】ＣＦＤ解析とＳＥＴ＊算出との一例を説明する図。
【図３】適用条件データの一例を示す図。
【図４】第１補間手段の説明図。
【図５】第２補間手段の説明図。
【図６】第３補間手段の説明図。
【図７】第１および第２補間手段を同時に行う場合の説明図。
【図８】第１〜第３補間手段を同時に行う場合の説明図。
【図９】第１〜第３補間手段を同時に行った場合の各結果を示す図。
【図１０】図９から続く各結果を示す図。
【図１１】適用条件データ作成画面の一例を示す図。
【図１２】設定条件入力画面の一例を示す図。
【図１３】設定条件入力手順の一例を示すフローチャート。
【図１４】ＣＦＤ解析・ＳＥＴ＊算出手順の一例を示すフローチャート。
【図１５】実測離間距離入力画面の一例を示す図。
【図１６】温度コントロールの一例を示すフローチャート。
【図１７】温度コントロールの他の一例を示すフローチャート。
【発明を実施するための形態】
【００２７】
一例として示す作業エリア温度コントロールシステムの構成図である図１等の添付の図面を参照し、本発明にかかる作業エリア温度コントロールシステムの詳細を説明すると、以下のとおりである。なお、図２は、ＣＦＤ（Computational Fluid Dynamics）解析とＳＥＴ＊（Standard Effective Temperature）算出の一例を説明する図である。作業エリア温度コントロールシステム１０は、大きな内部空間（作業場）を有する各種工場（建物）や各種ビル（建物）（図示せず）に施設され、工場やビルの内部空間の冷却が必要な場合に利用される。なお、工場やビルの内部空間は、図示がしていないが、各作業者１１が作業を行う所定容積の複数の作業エリア１２に区分されている。
【００２８】
作業エリア温度コントロールシステム１０は、空調対象の各作業エリア１２の温度を個別にコントロールし、それらエリア１２を新標準有効温度（ＳＥＴ＊）の快適範囲内にする。新標準有効温度（ＳＥＴ＊）の快適範囲は、図２に示すように、その温度が２２．２〜２５．６℃である。このシステム１０は、工場内やビル内の作業エリア１２に設置されたスポット空調設備１３と、温度センサ１４および湿度センサ１５と、コントローラ１６とから形成されている。
【００２９】
工場は、図示はしていないが、その屋根に換気用の煙突が設置され、壁に換気窓が施設されている。ビルは、図示はしていないが、その天井に給排気口が設置されており、給気口から空気が供給され、排気口から空気が排気されている。工場やビルでは、各種複数の機械設備や事務設備、照明器具、製造品から発散する熱によって、夏期のみならず、冬期であってもその内部空間の温度が外気温度よりも大幅に上昇する場合がある。工場やビルの内部空間全域を空調装置によって冷却するには膨大な電力（エネルギー）を必要とする一方、工場内やビル内の各作業エリア１２（各作業エリア）の温度を下げなければ、そこで作業する作業者１１の作業効率が著しく低下する。そこで、作業エリア１２のみの温度を個別に降下させる空調設備としてスポット空調設備１３が有効に利用される。
【００３０】
スポット空調設備１３は、空調装置１７と、空調装置１７から延びる送気ダクト１８と、送気ダクト１８につながるスポット空調用吹出口１９（吹出口）とから形成されている。空調装置１７は、送気ダクト１８を介して空調空気（冷却空気）を各作業エリア１２に送る。なお、空調装置１７の種類に特に限定はない。スポット空調用吹出口１９は、図１に示すように、作業エリア１２の上方に設置され、空調装置１７から送られた空調空気を作業エリア１２に向かって送気する。吹出口１９にはパンカルーバーが利用されているが、吹出口を図示のパンカルーバーに限定するものではなく、他のあらゆる形態の吹出口を利用することができる。
【００３１】
温度センサ１４は、作業エリア１２を除くエリア１２近傍（エリア１２の外側であってエリア１２の近くの箇所）の工場やビルの内部空間に設置されている。温度センサ１４は、インターフェイス（有線または無線）を介してコントローラ１６に接続されている。温度センサ１４は、システム１０の稼働中に、エリア１２を除くその近傍における工場やビルの内部空間の温度（実測温度）を測定し、測定した温度をコントローラ１６に出力する。湿度センサ１５は、作業エリア１２を除くエリア１２近傍（エリア１２の外側であってエリア１２の近くの箇所）の工場やビルの内部空間に設置されている。湿度センサ１５は、インターフェイスを介してコントローラ１６に接続されている。湿度センサ１５は、システム１０の稼働中に、作業エリア１２を除くその近傍における工場やビルの内部空間の湿度（実測湿度）を測定し、測定した湿度をコントローラ１６に出力する。
【００３２】
コントローラ１６は、中央処理部（ＣＰＵまたはＭＰＵ）とメモリとを有するコンピュータであり、大容量ハードディスクを内蔵している。コントローラ１６には、キーボード（図示せず）やテンキーユニット（図示せず）、ディスプレイ２０、プリンタ（図示せず）等の入出力装置がインターフェイスを介して接続されている。コントローラ１６のメモリには、後記する各種手段をコントローラ１６に実行させるためのアプリケーションが格納されている。コントローラ１６のハードディスクには、データベースが作られており、そのデータベースに適用条件データが格納されている。
【００３３】
コントローラ１６の中央処理部は、オペレーティングシステムによる制御に基づいて、メモリからアプリケーションを起動し、起動したアプリケーションに従って、以下の各手段を実行する。コントローラ１６の中央処理部は、作業エリア１２を除くその近傍の任意に設定された周囲温度と、作業エリア１２を除くその近傍の任意に設定された周囲絶対湿度（周囲湿度）と、吹出口１９における任意に設定された風速と、吹出口１９における任意に設定された送気温度と、吹出口１９における任意に設定された絶対湿度とを使用し、吹出口１９における送気温度を変更しつつＣＦＤ解析を行って吹出口１９から任意の距離の温度、湿度、風速を求めるＣＦＤ解析手段を実行する。周囲温度や周囲絶対湿度は、工場やビルの内部空間における作業エリア１２を除くその近傍において実際に測定した温度や湿度である。
【００３４】
コントローラ１６の中央処理部は、ＣＦＤ解析手段によって求めた温度、湿度、風速と、周囲温度と作業エリア１２を除くその近傍の放射温度（グローブ温度）との差と、作業エリア１２で作業する作業者１１の着衣量と、作業エリア１２で作業する作業者１１の代謝量とを用いて吹出口１９から任意の距離の新標準有効温度（ＳＥＴ＊）を算出し、算出した新標準有効温度（ＳＥＴ＊）が２２．２〜２５．６℃となる吹出口１９から作業エリア１２までの離間距離を決定する離間距離決定手段を実行する。放射温度は、工場やビルの内部空間における作業エリア１２近傍において実際に測定した放射温度、または、経験的に想定した放射温度、あるいは、ＣＦＤで求めた放射温度である。
【００３５】
コントローラ１６の中央処理部は、作業エリア１２を除くその近傍の任意に設定された周囲温度と、作業エリア１２を除くその近傍の任意に設定された周囲絶対湿度と、離間距離決定手段によって求めた吹出口１９から作業エリア１２までの離間距離と、吹出口１９から送気される空調空気の送気温度との関連を示す複数の適用条件データを作成する適用条件データ作成手段を実行する。それら適用条件データは、作業エリア１２を新標準有効温度（ＳＥＴ＊）の快適範囲内にするために使用される。コントローラ１６の中央処理部は、生成した適用条件データをファイル化してハードディスクのデータベースに格納（記憶）する適用条件データ記憶手段を実行する。
【００３６】
コントローラ１６の中央処理部は、あらかじめ作成した適用条件データにおいて特定の周囲温度が欠落している場合（適用条件データの中で特定の周囲温度が抜けている場合）、その欠落した周囲温度に隣接する周囲温度を用いて線形補間を行い、その欠落した周囲温度に対応する離間距離を求める第１補間手段を実行する。コントローラ１６の中央処理部は、欠落した周囲温度に対応する離間距離を第１補間手段によって求めた後、欠落した周囲温度とその周囲温度に対応する離間距離とを適用条件データに追加し、その周囲温度とその離間距離とをハードディスクのデータベースに格納（記憶）する第１補間データ記憶手段を実行する。
【００３７】
コントローラ１６の中央処理部は、適用条件データにおいて特定の送気温度が欠落している場合（適用条件データの中で特定の送気温度が抜けている場合）、その欠落した送気温度に隣接する送気温度を用いて線形補間を行い、その欠落した送気温度に対応する離間距離を求める第２補間手段を実行する。コントローラ１６の中央処理部は、欠落した送気温度に対応する離間距離を第２補間手段によって求めた後、欠落した送気温度とその送気温度に対応する離間距離とを適用条件データに追加し、その送気温度とその離間距離とをハードディスクのデータベースに格納（記憶）する第２補間データ記憶手段を実行する。
【００３８】
コントローラ１６の中央処理部は、適用条件データにおいて特定の周囲絶対湿度が欠落している場合（適用条件データの中で特定の周囲絶対湿度が抜けている場合）、その欠落した周囲絶対湿度に隣接する周囲絶対湿度を用いて線形補間を行い、その欠落した周囲絶対湿度に対応する離間距離を求める第３補間手段を実行する。コントローラ１６の中央処理部は、欠落した周囲絶対湿度に対応する離間距離を第３補間手段によって求めた後、欠落した周囲絶対湿度とその周囲絶対湿度に対応する離間距離とを適用条件データに追加し、その周囲絶対絶度とその離間距離とをハードディスクのデータベースに格納（記憶）する第３補間データ記憶手段を実行する。
【００３９】
コントローラ１６の中央処理部は、温度センサ１４から出力された温度と、湿度センサ１５から出力された湿度（絶対湿度または相対湿度）と、吹出口１９から作業エリア１２までの実測離間距離とを適用条件データに当て嵌め、吹出口１９から送気する空調空気の最適送気温度を決定する最適送気温度決定手段を実行する。コントローラ１６の中央処理部は、最適送気温度決定手段によって決定した最適送気温度の空調空気を吹出口１９から送気し得るように空調装置１７を制御する送気温度制御手段を実行する。
【００４０】
最適送気温度決定手段では、欠落した周囲温度に対応する離間距離を第１補間手段によって求めたときに、欠落した周囲温度に対応する離間距離の範囲内に最適送気温度が入っていると、それら最適送気温度のうちの最も高い温度の最適送気温度を選択する。また、最適送気温度決定手段では、欠落した送気温度に対応する離間距離を第２補間手段によって求めたときに、欠落した送気温度に対応する離間距離の範囲内に最適送気温度が入っていると、それら最適送気温度のうちの最も高い温度の最適送気温度を選択する。さらに、最適送気温度決定手段では、欠落した周囲絶対湿度に対応する離間距離を第３補間手段によって求めたときに、欠落した周囲絶対湿度に対応する離間距離の範囲内に最適送気温度が入っていると、それら最適送気温度のうちの最も高い温度の最適送気温度を選択する。送気温度制御手段では、最適送気温度決定手段によって選択された最も高い温度の最適送気温度の空調空気を吹出口１９から送気し得るように空調装置１７を制御する。
【００４１】
図３は、適用条件データの一例を示す図である。適用条件データには、吹出口サイズ（吹出口の口径）、吹出口風速（ｍ／ｓ）、着衣量（ｃｌｏ）、代謝量（ｍｅｔ）、周囲温度と放射温度との差（℃）、周囲温度（℃）、周囲湿度（ｋｇ／ｋｇ（ＤＡ））、離間距離（ｍ）、送気温度（℃）が含まれる。
【００４２】
吹出口サイズは、吹出口１９の口径であり、吹出口の種類によって決定される。図３では、吹出口サイズとしてＰＫ＃１４が表示されているが、それのみならず他の複数の口径サイズが適用条件データの構成要素としてデータベースに格納される。吹出口風速は、吹出口１９から送気される空調空気の風速であり、吹出口サイズや空調装置１７の出力によって決定される。図３では、吹出口風速として４（ｍ／ｓ）が表示されているが、それのみならず他の複数の吹出口風速が適用条件データの構成要素としてデータベースに格納される。
【００４３】
着衣量（ｃｌｏ）は、作業エリア１２で作業する作業者１１が装着する着衣の熱抵抗である。図３では、着衣量として０．６（ｃｌｏ）が表示されているが、それのみならず他の複数の着衣量が適用条件データの構成要素としてデータベースに格納される。代謝量（ｍｅｔ）は、作業エリア１２で作業する作業者１１のエネルギー消費量である。図３では、代謝量として２．０（ｍｅｔ）が表示されているが、それのみならず他の複数の代謝量が適用条件データの構成要素としてデータベースに格納される。
【００４４】
図３では、周囲温度として２８，２９，３１（℃）が表示されているが、それのみならず他の複数の周囲温度が適用条件データの構成要素としてデータベースに格納される。また、周囲絶対湿度として０．０１９，０．０２５，０．０３０（ｋｇ／ｋｇ（ＤＡ））が表示されているが、それのみならず他の複数の周囲絶対湿度が適用条件データの構成要素としてデータベースに格納される。さらに、送気温度として１６，２０，２４（℃）が表示されているが、それのみならず他の複数の送気温度が適用条件データの構成要素としてデータベースに格納される。
【００４５】
図４は、第１補間手段の説明図である。第１補間手段を説明すると、以下のとおりである。図３の適用条件データにおいて、たとえば、周囲温度２８，２９，３１（℃）、周囲絶対湿度０．０２５（ｋｇ／ｋｇ（ＤＡ））、送気温度２０（℃）の条件では、周囲温度３０（℃）が欠落している。この場合、コントローラ１６は、欠落した周囲温度３０（℃）に隣接する（欠落した周囲温度の直近上位に位置する周囲温度および直近下位に位置する周囲温度）周囲温度２９（℃）と周囲温度３１（℃）とを用いて線形補間を行い（周囲絶対湿度０．０２５（ｋｇ／ｋｇ（ＤＡ））、送気温度２０（℃））、その欠落した周囲温度３０（℃）に対応する離間距離を求める（第１補間手段）。
【００４６】
具体的には、以下のとおりである。コントローラ１６は、周囲温度２９（℃）、送気温度２０（℃）、周囲絶対湿度０．０２５（ｋｇ／ｋｇ（ＤＡ））のときの離間距離０．９〜１．２（ｍ）、周囲温度３１（℃）、送気温度２０（℃）、周囲絶対湿度０．０２５（ｋｇ／ｋｇ（ＤＡ））のときの離間距離０．８〜１．１（ｍ）を抽出する。次に、周囲温度２９（℃）のときの離間距離の下限値０．９（ｍ）から周囲温度３１（℃）のときの離間距離の下限値０．８（ｍ）を減算し、減算した値０．１（ｍ）を２で除して離間距離０．０５を算出する。コントローラ１６は、周囲温度２９（℃）のときの離間距離の下限値０．９（ｍ）から０．０５（ｍ）を減算（または、周囲温度３１（℃）のときの離間距離の下限値０．８（ｍ）に０．０５（ｍ）を加算）し、周囲温度３０（℃）のときの離間距離の下限値０．８５（ｍ）を算出する。
【００４７】
さらに、周囲温度２９（℃）のときの離間距離の上限値１．２（ｍ）から周囲温度３１（℃）のときの離間距離の上限値１．１（ｍ）を減算し、減算した値０．１（ｍ）を２で除して離間距離０．０５（ｍ）を算出する。コントローラ１６は、周囲温度２９（℃）のときの離間距離の上限値１．２（ｍ）から０．０５（ｍ）を減算（または、周囲温度３１（℃）のときの離間距離の上限値１．１（ｍ）に０．０５（ｍ）を加算）し、周囲温度３０（℃）のときの離間距離の上限値１．１５（ｍ）を算出する。それらの計算によって、周囲温度３０（℃）、送気温度２０（℃）、周囲絶対湿度０．０２５（ｋｇ／ｋｇ（ＤＡ））のときの離間距離０．８５〜１．１５（ｍ）を求める。
【００４８】
コントローラ１６は、周囲温度３０（℃）、送気温度２０（℃）、周囲絶対湿度０．０２５（ｋｇ／ｋｇ（ＤＡ）とその周囲温度、送気温度、周囲絶対湿度のときの離間距離０．８５〜１．１５（ｍ）とを適用条件データに追加し、周囲温度３０（℃）（周囲絶対湿度０．０２５（ｋｇ／ｋｇ（ＤＡ））と送気温度２０（℃）とを含む）と離間距離０．８５〜１．１５（ｍ）とをデータベースに格納する（第１補間データ記憶手段）。なお、同様の手順により、他の周囲絶対湿度０．０１９、０．０３０（ｋｇ／ｋｇ（ＤＡ））や他の送気温度１６，２４（℃）における周囲温度３０（℃）の離間距離を算出することができる。
【００４９】
図５は、第２補間手段の説明図である。第２補間手段を説明すると、以下のとおりである。図３の適用条件データにおいて、たとえば、周囲温度２８（℃）、周囲絶対湿度０．０２５（ｋｇ／ｋｇ（ＤＡ））、送気温度２０，２４（℃）の条件では、送気温度２１，２２，２３（℃）が欠落している。この場合、コントローラ１６は、欠落した周囲温度２１，２２，２３（℃）に隣接する（欠落した送気温度の直近上位に位置する送気温度および直近下位に位置する送気温度）送気温度２０（℃）と送気温度２４（℃）とを用いて線形補間を行い（周囲温度２８（℃）、周囲絶対湿度０．０２５（ｋｇ／ｋｇ（ＤＡ）））、その欠落した送気温度２１，２２，２３（℃）に対応する離間距離を求める（第２補間手段）。
【００５０】
具体的には、以下のとおりである。コントローラ１６は、周囲温度２８（℃）、送気温度２０（℃）、周囲絶対湿度０．０２５（ｋｇ／ｋｇ（ＤＡ））のときの離間距離１．１〜１．６（ｍ）、周囲温度２８（℃）、送気温度２４（℃）、周囲絶対湿度０．０２５（ｋｇ／ｋｇ（ＤＡ））のときの離間距離０．６〜１．０（ｍ）を抽出する。送気温度２０（℃）のときの離間距離の下限値１．１（ｍ）から送気温度２４（℃）のときの離間距離の下限値０．６（ｍ）を減算し、減算した値０．５（ｍ）を４で除して離間距離０．１２５（ｍ）を算出する。
【００５１】
コントローラ１６は、送気温度２０（℃）のときの離間距離の下限値１．１（ｍ）から０．１２５（ｍ）を減算し、送気温度２１（℃）のときの離間距離の下限値０．９７５（ｍ）を算出し、送気温度２１（℃）のときの離間距離の下限値０．９７５（ｍ）から０．１２５（ｍ）を減算し、送気温度２２（℃）のときの離間距離の下限値０．８５（ｍ）を算出するとともに、送気温度２２（℃）のときの離間距離の下限値０．８５（ｍ）から０．１２５（ｍ）を減算し、送気温度２３（℃）のときの離間距離の下限値０．７２５（ｍ）を算出する。
【００５２】
または、送気温度２４（℃）のときの離間距離の下限値０．６（ｍ）に０．１２５（ｍ）を加算し、送気温度２３（℃）のときの離間距離の下限値０．７２５（ｍ）を算出し、送気温度２３（℃）のときの離間距離の下限値０．７２５（ｍ）に０．１２５（ｍ）を加算し、送気温度２２（℃）のときの離間距離の下限値０．８５（ｍ）を算出するとともに、送気温度２２（℃）のときの離間距離の下限値０．８５（ｍ）に０．１２５（ｍ）を加算し、送気温度２１（℃）のときの離間距離の下限値０．９７５（ｍ）を算出する。
【００５３】
コントローラ１６は、送気温度２０（℃）のときの離間距離の上限値１．６（ｍ）から送気温度２４（℃）のときの離間距離の上限値１．０（ｍ）を減算し、減算した値０．６（ｍ）を４で除して離間距離０．１５を算出する。次に、送気温度２０（℃）のときの離間距離の上限値１．６（ｍ）から０．１５（ｍ）を減算し、送気温度２１（℃）のときの離間距離の上限値１．４５（ｍ）を算出し、送気温度２１（℃）のときの離間距離の上限値１．４５（ｍ）から０．１５（ｍ）を減算し、送気温度２２（℃）のときの離間距離の上限値１．３（ｍ）を算出するとともに、送気温度２２（℃）のときの離間距離の上限値１．３（ｍ）から０．１５（ｍ）を減算し、送気温度２３（℃）のときの離間距離の上限値１．１５（ｍ）を算出する。
【００５４】
または、送気温度２４（℃）のときの離間距離の上限値１．０（ｍ）に０．１５（ｍ）を加算し、送気温度２３（℃）のときの離間距離の上限値１．１５（ｍ）を算出し、送気温度２３（℃）のときの離間距離の上限値１．１５（ｍ）に０．１５（ｍ）を加算し、送気温度２２（℃）のときの離間距離の上限値１．３（ｍ）を算出するとともに、送気温度２２（℃）のときの離間距離の上限値１．３（ｍ）に０．１５（ｍ）を加算し、送気温度２１（℃）のときの離間距離の上限値１．４５（ｍ）を算出する。
【００５５】
コントローラ１６は、周囲温度２８（℃）、送気温度２１，２２，２３（℃）、周囲絶対湿度（０．０２５（ｋｇ／ｋｇ（ＤＡ）とその周囲温度、送気温度、周囲絶対湿度のときの離間距離０．９７５〜１．４５（ｍ），０．８５〜１．３（ｍ），０．７２５〜１．１５（ｍ）を適用条件データに追加し、送気温度２１，２２，２３（℃）（周囲温度２８（℃）と周囲絶対湿度０．０２５（ｋｇ／ｋｇ（ＤＡ））とを含む）と離間距離０．９７５〜１．４５（ｍ）、離間距離０．８５〜１．３（ｍ）、離間距離０．７２５〜１．１５（ｍ）をデータベースに格納する（第２補間データ記憶手段）。
【００５６】
図６は、第３補間手段の説明図である。第３補間手段を説明すると、以下のとおりである。図３の適用条件データにおいて、たとえば、周囲温度２８（℃）、周囲絶対湿度０．０２５，０．０３０（ｋｇ／ｋｇ（ＤＡ））、送気温度２０（℃）の条件では、周囲絶対湿度０．０２６，０．０２７，０．０２８，０．０２９（ｋｇ／ｋｇ（ＤＡ））が欠落している。この場合、コントローラ１６は、欠落した周囲絶対湿度０．０２６，０．０２７，０．０２８，０．０２９（ｋｇ／ｋｇ（ＤＡ））に隣接する（欠落した周囲絶対湿度の直近上位に位置する周囲絶対湿度および直近下位に位置する周囲絶対湿度）周囲絶対湿度０．０２５（ｋｇ／ｋｇ（ＤＡ））と周囲絶対湿度０．０３０（ｋｇ／ｋｇ（ＤＡ））とを用いて線形補間を行い、その欠落した周囲絶対湿度０．０２６，０．０２７，０．０２８，０．０２９（ｋｇ／ｋｇ（ＤＡ））に対応する離間距離を求める（第３補間手段）。
【００５７】
具体的には、以下のとおりである。コントローラ１６は、周囲温度２８（℃）、送気温度２０（℃）、周囲絶対湿度０．０２５（ｋｇ／ｋｇ（ＤＡ））のときの離間距離１．１〜１．６（ｍ）、周囲温度２８（℃）、送気温度２０（℃）、周囲絶対湿度０．０３０（ｋｇ／ｋｇ（ＤＡ））のときの離間距離１．０〜１．４（ｍ）を抽出する。周囲絶対湿度０．０２５（ｋｇ／ｋｇ（ＤＡ））のときの離間距離の下限値１．１（ｍ）から周囲絶対湿度０．０３０（ｋｇ／ｋｇ（ＤＡ））のときの離間距離の下限値１．０（ｍ）を減算し、減算した値０．１（ｍ）を５で除して離間距離０．０２（ｍ）を算出する。
【００５８】
コントローラ１６は、周囲絶対湿度０．０２５（ｋｇ／ｋｇ（ＤＡ））のときの離間距離の下限値１．１（ｍ）から０．０２（ｍ）を減算し、周囲絶対湿度０．０２６（ｋｇ／ｋｇ（ＤＡ））のときの離間距離の下限値１．０８（ｍ）を算出し、周囲絶対湿度０．０２６（ｋｇ／ｋｇ（ＤＡ））のときの離間距離の下限値１．０８（ｍ）から０．０２（ｍ）を減算し、周囲絶対湿度０．０２７（ｋｇ／ｋｇ（ＤＡ））のときの離間距離の下限値１．０６（ｍ）を算出する。さらに、周囲絶対湿度０．０２７（ｋｇ／ｋｇ（ＤＡ））のときの離間距離の下限値１．０６（ｍ）から０．０２（ｍ）を減算し、周囲絶対湿度０．０２８（ｋｇ／ｋｇ（ＤＡ））のときの離間距離の下限値１．０４（ｍ）を算出し、周囲絶対湿度０．０２８（ｋｇ／ｋｇ（ＤＡ））のときの離間距離の下限値１．０４（ｍ）から０．０２（ｍ）を減算し、周囲絶対湿度０．０２９（ｋｇ／ｋｇ（ＤＡ））のときの離間距離の下限値１．０２（ｍ）を算出する。
【００５９】
または、周囲絶対湿度０．０３０（ｋｇ／ｋｇ（ＤＡ））のときの離間距離の下限値１．０（ｍ）に０．０２（ｍ）を加算し、周囲絶対湿度０．０２９（ｋｇ／ｋｇ（ＤＡ））のときの離間距離の下限値１．０２（ｍ）を算出し、周囲絶対湿度０．０２９（ｋｇ／ｋｇ（ＤＡ））のときの離間距離の下限値１．０２（ｍ）に０．０２（ｍ）を加算し、周囲絶対湿度０．０２８（ｋｇ／ｋｇ（ＤＡ））のときの離間距離の下限値１．０４（ｍ）を算出する。さらに、周囲絶対湿度０．０２８（ｋｇ／ｋｇ（ＤＡ））のときの離間距離の下限値１．０４（ｍ）に０．０２（ｍ）を加算し、周囲絶対湿度０．０２７（ｋｇ／ｋｇ（ＤＡ））のときの離間距離の下限値１．０６（ｍ）を算出し、周囲絶対湿度０．０２７（ｋｇ／ｋｇ（ＤＡ））のときの離間距離の下限値１．０６（ｍ）に０．０２（ｍ）を加算し、周囲絶対湿度０．０２６（ｋｇ／ｋｇ（ＤＡ））のときの離間距離の下限値１．０８（ｍ）を算出する。
【００６０】
コントローラ１６は、周囲絶対湿度０．０２５（ｋｇ／ｋｇ（ＤＡ））のときの離間距離の上限値１．６（ｍ）から周囲絶対湿度０．０３０（ｋｇ／ｋｇ（ＤＡ））のときの離間距離の上限値１．４（ｍ）を減算し、減算した値０．２（ｍ）を５で除して離間距離０．０４（ｍ）を算出する。
【００６１】
コントローラ１６は、周囲絶対湿度０．０２５（ｋｇ／ｋｇ（ＤＡ））のときの離間距離の上限値１．６（ｍ）から０．０４（ｍ）を減算し、周囲絶対湿度０．０２６（ｋｇ／ｋｇ（ＤＡ））のときの離間距離の上限値１．５６（ｍ）を算出し、周囲絶対湿度０．０２６（ｋｇ／ｋｇ（ＤＡ））のときの離間距離の上限値１．５６（ｍ）から０．０４（ｍ）を減算し、周囲絶対湿度０．０２７（ｋｇ／ｋｇ（ＤＡ））のときの離間距離の上限値１．５２（ｍ）を算出する。さらに、周囲絶対湿度０．０２７（ｋｇ／ｋｇ（ＤＡ））のときの離間距離の上限値１．５２（ｍ）から０．０４（ｍ）を減算し、周囲絶対湿度０．０２８（ｋｇ／ｋｇ（ＤＡ））のときの離間距離の上限値１．４８（ｍ）を算出し、周囲絶対湿度０．０２８（ｋｇ／ｋｇ（ＤＡ））のときの離間距離の上限値１．４８（ｍ）から０．０４（ｍ）を減算し、周囲絶対湿度０．０２９（ｋｇ／ｋｇ（ＤＡ））のときの離間距離の上限値１．４４（ｍ）を算出する。
【００６２】
または、周囲絶対湿度０．０３０（ｋｇ／ｋｇ（ＤＡ））のときの離間距離の上限値１．４（ｍ）に０．０４（ｍ）を加算し、周囲絶対湿度０．０２９（ｋｇ／ｋｇ（ＤＡ））のときの離間距離の上限値１．４４（ｍ）を算出し、周囲絶対湿度０．０２９（ｋｇ／ｋｇ（ＤＡ））のときの離間距離の上限値１．４４（ｍ）に０．０４（ｍ）を加算し、周囲絶対湿度０．０２８（ｋｇ／ｋｇ（ＤＡ））のときの離間距離の上限値１．４８（ｍ）を算出する。さらに、周囲絶対湿度０．０２８（ｋｇ／ｋｇ（ＤＡ））のときの離間距離の上限値１．４８（ｍ）に０．０４（ｍ）を加算し、周囲絶対湿度０．０２７（ｋｇ／ｋｇ（ＤＡ））のときの離間距離の上限値１．５２（ｍ）を算出し、周囲絶対湿度０．０２７（ｋｇ／ｋｇ（ＤＡ））のときの離間距離の上限値１．５２（ｍ）に０．０４（ｍ）を加算し、周囲絶対湿度０．０２６（ｋｇ／ｋｇ（ＤＡ））のときの離間距離の上限値１．５６（ｍ）を算出する。
【００６３】
コントローラ１６は、周囲温度２８（℃）、送気温度２０（℃）、周囲絶対湿度（０．０２６（ｋｇ／ｋｇ（ＤＡ）とその周囲温度、送気温度、周囲絶対湿度のときの離間距離１．０８〜１．５６（ｍ）、周囲温度２８（℃）、送気温度２０（℃）、周囲絶対湿度（０．０２７（ｋｇ／ｋｇ（ＤＡ）とその周囲温度、送気温度、周囲絶対湿度のときの離間距離１．０６〜１．５２（ｍ）、周囲温度２８（℃）、送気温度２０（℃）、周囲絶対湿度（０．０２８（ｋｇ／ｋｇ（ＤＡ）とその周囲温度、送気温度、周囲絶対湿度のときの離間距離１．０４〜１．４８（ｍ）、周囲温度２８（℃）、送気温度２０（℃）、周囲絶対湿度（０．０２９（ｋｇ／ｋｇ（ＤＡ）とその周囲温度、送気温度、周囲絶対湿度のときの離間距離１．０２〜１．４４（ｍ）を適用条件データに追加し、周囲絶対湿度０．０２５〜０．０３０（ｋｇ／ｋｇ（ＤＡ））（周囲温度２８（℃）と送気温度２０（℃）とを含む）と離間距離１．０８〜１．５６（ｍ）、離間距離１．０６〜１．５２（ｍ）、離間距離１．０４〜１．４８（ｍ）、離間距離１．０２〜１．４４（ｍ）をデータベースに格納する（第３補間データ記憶手段）。
【００６４】
図７は、第１および第２補間手段を同時に行う場合の説明図である。コントローラ１６は、図４に示す手順により、周囲温度２８，２９，３１（℃）、周囲絶対湿度０．０３０（ｋｇ／ｋｇ（ＤＡ））、送気温度１６，２０（℃）の条件において欠落した周囲温度３０（℃）に対応する離間距離を求める。（第１補間手段）。それらを求めた後、コントローラ１６は、図５に示す手順により、周囲温度３０（℃）、周囲絶対湿度０．０３０（ｋｇ／ｋｇ（ＤＡ））、送気温度１６，２０（℃）の条件において欠落している送気温度１７，１８，１９（℃）に対応する離間距離を求める（第２補間手段）。第１および第２補間手段を行うことにより、適用条件データにおいて周囲温度と送気温度とが部分的に欠落していたとしても、それら欠落した周囲温度や送気温度を求めることができるとともに、それら欠落した周囲温度と送気温度とに対応する離間距離を求めることができ、各データの漏れがない適用条件データを作ることができる。
【００６５】
具体的には、以下のとおりである。コントローラ１６は、周囲温度２９（℃）、送気温度１６（℃）、周囲絶対湿度０．０３０（ｋｇ／ｋｇ（ＤＡ））のときの離間距離１．６〜２．０（ｍ）、周囲温度３１（℃）、送気温度１６（℃）、周囲絶対湿度０．０３０（ｋｇ／ｋｇ（ＤＡ））のときの離間距離１．４〜１．８（ｍ）を抽出する。次に、周囲温度２９（℃）のときの離間距離の下限値１．６（ｍ）から周囲温度３１（℃）のときの離間距離の下限値１．４（ｍ）を減算し、減算した値０．２（ｍ）を２で除して離間距離０．１を算出する。コントローラ１６は、周囲温度２９（℃）のときの離間距離の下限値１．６（ｍ）から０．１（ｍ）を減算（または、周囲温度３１（℃）のときの離間距離の下限値１．４（ｍ）に０．１（ｍ）を加算）し、周囲温度３０（℃）のときの離間距離の下限値１．５（ｍ）を算出する。
【００６６】
さらに、周囲温度２９（℃）のときの離間距離の上限値２．０（ｍ）から周囲温度３１（℃）のときの離間距離の上限値１．８（ｍ）を減算し、減算した値０．２（ｍ）を２で除して離間距離０．１（ｍ）を算出する。コントローラ１６は、周囲温度２９（℃）のときの離間距離の上限値２．０（ｍ）から０．１（ｍ）を減算（または、周囲温度３１（℃）のときの離間距離の上限値１．８（ｍ）に０．１（ｍ）を加算）し、周囲温度３０（℃）のときの離間距離の上限値１．９（ｍ）を算出する。それらの計算によって、周囲温度３０（℃）、送気温度１６（℃）、周囲絶対湿度０．０３０（ｋｇ／ｋｇ（ＤＡ））のときの離間距離１．５〜１．９（ｍ）を求める（図７の（１）参照）。
【００６７】
コントローラ１６は、周囲温度２９（℃）、送気温度２０（℃）、周囲絶対湿度０．０３０（ｋｇ／ｋｇ（ＤＡ））のときの離間距離０．８〜１．１（ｍ）、周囲温度３１（℃）、送気温度２０（℃）、周囲絶対湿度０．０３０（ｋｇ／ｋｇ（ＤＡ））のときの離間距離０．６〜０．９（ｍ）を抽出する。次に、周囲温度２９（℃）のときの離間距離の下限値０．８（ｍ）から周囲温度３１（℃）のときの離間距離の下限値０．６（ｍ）を減算し、減算した値０．２（ｍ）を２で除して離間距離０．１を算出する。コントローラ１６は、周囲温度２９（℃）のときの離間距離の下限値０．８（ｍ）から０．１（ｍ）を減算（または、周囲温度３１（℃）のときの離間距離の下限値０．６（ｍ）に０．１（ｍ）を加算）し、周囲温度３０（℃）のときの離間距離の下限値０．７（ｍ）を算出する。
【００６８】
さらに、周囲温度２９（℃）のときの離間距離の上限値１．１（ｍ）から周囲温度３１（℃）のときの離間距離の上限値０．９（ｍ）を減算し、減算した値０．２（ｍ）を２で除して離間距離０．１を算出する。コントローラ１６は、周囲温度２９（℃）のときの離間距離の上限値１．１（ｍ）から０．１（ｍ）を減算（または、周囲温度３１（℃）のときの離間距離の上限値０．９（ｍ）に０．１（ｍ）を加算）し、周囲温度３０（℃）のときの離間距離の上限値１．０（ｍ）を算出する。それらの計算によって、周囲温度３０（℃）、送気温度２０（℃）、周囲絶対湿度０．０３０（ｋｇ／ｋｇ（ＤＡ））のときの離間距離０．７〜１．０（ｍ）を求める（図７の（２）参照）。
【００６９】
コントローラ１６は、周囲温度３０（℃）、送気温度１６，２０（℃）、周囲絶対湿度０．０３０（ｋｇ／ｋｇ（ＤＡ））とその周囲温度、送気温度、周囲絶対湿度のときの離間距離１．５〜１．９，０．７〜１．０（ｍ）とを適用条件データに追加し、周囲温度３０（℃）（周囲絶対湿度０．０３０（ｋｇ／ｋｇ（ＤＡ））と送気温度１６，２０（℃）とを含む）と離間距離１．５〜１．９、離間距離０．７〜１．０（ｍ）とをデータベースに格納する（第１補間データ記憶手段）。
【００７０】
第１補間データを格納した後、コントローラ１６は、第２補間手段を実行する。コントローラ１６は、周囲温度３０（℃）、送気温度１６（℃）、周囲絶対湿度０．０３０（ｋｇ／ｋｇ（ＤＡ））のときの離間距離１．５〜１．９（ｍ）、周囲温度３０（℃）、送気温度２０（℃）、周囲絶対湿度０．０３０（ｋｇ／ｋｇ（ＤＡ））のときの離間距離０．７〜１．０（ｍ）を抽出する。送気温度１６（℃）のときの離間距離の下限値１．５（ｍ）から送気温度２０（℃）のときの離間距離の下限値０．７（ｍ）を減算し、減算した値０．８（ｍ）を４で除して離間距離０．２を算出する。
【００７１】
コントローラ１６は、送気温度１６（℃）のときの離間距離の下限値１．５（ｍ）から０．２（ｍ）を減算し、送気温度１７（℃）のときの離間距離の下限値１．３（ｍ）を算出し、送気温度１７（℃）のときの離間距離の下限値１．３（ｍ）から０．２５（ｍ）を減算し、送気温度１８（℃）のときの離間距離の下限値１．１（ｍ）を算出するとともに、送気温度１８（℃）のときの離間距離の下限値１．１（ｍ）から０．２（ｍ）を減算し、送気温度１９（℃）のときの離間距離の下限値０．９（ｍ）を算出する。
【００７２】
または、送気温度２０（℃）のときの離間距離の下限値０．７（ｍ）に０．２（ｍ）を加算し、送気温度１９（℃）のときの離間距離の下限値０．９（ｍ）を算出し、送気温度１９（℃）のときの離間距離の下限値０．９（ｍ）に０．２（ｍ）を加算し、送気温度１８（℃）のときの離間距離の下限値１．１（ｍ）を算出するとともに、送気温度１８（℃）のときの離間距離の下限値１．１（ｍ）に０．２（ｍ）を加算し、送気温度１７（℃）のときの離間距離の下限値１．３（ｍ）を算出する。
【００７３】
コントローラ１６は、送気温度１６（℃）のときの離間距離の上限値１．９（ｍ）から送気温度２０（℃）のときの離間距離の上限値１．０（ｍ）を減算し、減算した値０．９（ｍ）を４で除して離間距離０．２２５を算出する。次に、送気温度１６（℃）のときの離間距離の上限値１．９（ｍ）から０．２２５（ｍ）を減算し、送気温度１７（℃）のときの離間距離の上限値１．６７５（ｍ）を算出し、送気温度１７（℃）のときの離間距離の上限値１．６７５（ｍ）から０．２２５（ｍ）を減算し、送気温度１８（℃）のときの離間距離の上限値１．４５（ｍ）を算出するとともに、送気温度１８（℃）のときの離間距離の上限値１．４５（ｍ）から０．２２５（ｍ）を減算し、送気温度１９（℃）のときの離間距離の上限値１．２２５（ｍ）を算出する。
【００７４】
または、送気温度２０（℃）のときの離間距離の上限値１．０（ｍ）に０．２２５（ｍ）を加算し、送気温度１９（℃）のときの離間距離の上限値１．２２５（ｍ）を算出し、送気温度１９（℃）のときの離間距離の上限値１．２２５（ｍ）に０．２２５（ｍ）を加算し、送気温度１８（℃）のときの離間距離の上限値１．４５（ｍ）を算出するとともに、送気温度１８（℃）のときの離間距離の上限値１．４５（ｍ）に０．２２５（ｍ）を加算し、送気温度１７（℃）のときの離間距離の上限値１．６７５（ｍ）を算出する（図７の（３）参照）。
【００７５】
コントローラ１６は、周囲温度３０（℃）、送気温度１７，１８，１９（℃）、周囲絶対湿度（０．０３０（ｋｇ／ｋｇ（ＤＡ））とその周囲温度、送気温度、周囲絶対湿度のときの離間距離１．３〜１．６７５，１．１〜１．４５，０．９〜１．２２５（ｍ）を適用条件データに追加し、送気温度１７，１８，１９（℃）（周囲温度３０（℃）と周囲絶対湿度０．０３０（ｋｇ／ｋｇ（ＤＡ））とを含む）と離間距離１．３〜１．６７５（ｍ）、離間距離１．１〜１．４５（ｍ）、離間距離０．９〜１．２２５（ｍ）をデータベースに格納する（第２補間データ記憶手段）。
【００７６】
図８は、第１〜第３補間手段を同時に行う場合の説明図であり、図９は、第１〜第３補間手段を同時に行った場合の各結果を示す図である。図１０は、図９から続く各結果を示す図である。コントローラ１６は、図４に示す手順により、周囲温度２８，２９，３１（℃）、周囲絶対湿度０．０２５，０．０３０（ｋｇ／ｋｇ（ＤＡ））、送気温度１６，２０（℃）の条件において欠落した周囲温度３０（℃）に対応する離間距離を求める。（第１補間手段）。それらを求めた後、コントローラ１６は、図５に示す手順により、周囲温度３０（℃）、周囲絶対湿度０．０２５，０．０３０（ｋｇ／ｋｇ（ＤＡ））、送気温度１６，２０（℃）の条件において欠落している送気温度１７，１８，１９（℃）に対応する離間距離を求める（第２補間手段）。さらに、図６に示す手順により、周囲温度３０（℃）、周囲絶対湿度０．０２５，０．０３０（ｋｇ／ｋｇ（ＤＡ））、送気温度１８（℃）の条件において欠落している周囲絶対湿度０．０２６，０．０２７，０．０２８，０．０２９（ｋｇ／ｋｇ（ＤＡ））に対応する離間距離を求める（第３補間手段）。第１〜第３補間手段を行うことにより、適用条件データにおいて周囲温度や送気温度、周囲絶対湿度が部分的に欠落していたとしても、それら欠落した周囲温度や送気温度、周囲絶対湿度を求めることができるとともに、それら欠落した周囲温度や送気温度、周囲絶対湿度に対応する離間距離を求めることができ、各データの漏れがない適用条件データを作ることができる。
【００７７】
具体的には、以下のとおりである（図８参照）。コントローラ１６は、周囲温度２９（℃）、送気温度１６（℃）、周囲絶対湿度０．０２５（ｋｇ／ｋｇ（ＤＡ））のときの離間距離１．８〜２．２（ｍ）、周囲温度３１（℃）、送気温度１６（℃）、周囲絶対湿度０．０２５（ｋｇ／ｋｇ（ＤＡ））のときの離間距離１．６〜２．０（ｍ）を抽出する。次に、周囲温度２９（℃）のときの離間距離の下限値１．８（ｍ）から周囲温度３１（℃）のときの離間距離の下限値１．６（ｍ）を減算し、減算した値０．２（ｍ）を２で除して離間距離０．１を算出する。コントローラ１６は、周囲温度２９（℃）のときの離間距離の下限値１．８（ｍ）から０．１（ｍ）を減算（または、周囲温度３１（℃）のときの離間距離の下限値１．６（ｍ）に０．１（ｍ）を加算）し、周囲温度３０（℃）のときの離間距離の下限値１．７（ｍ）を算出する。
【００７８】
コントローラ１６は、周囲温度２９（℃）のときの離間距離の上限値２．２（ｍ）から周囲温度３１（℃）のときの離間距離の上限値２．０（ｍ）を減算し、減算した値０．２（ｍ）を２で除して離間距離０．１を算出する。コントローラ１６は、周囲温度２９（℃）のときの離間距離の上限値２．２（ｍ）から０．１（ｍ）を減算（または、周囲温度３１（℃）のときの離間距離の上限値２．０（ｍ）に０．１（ｍ）を加算）し、周囲温度３０（℃）のときの離間距離の上限値２．１（ｍ）を算出する（図９の（１）参照）。
【００７９】
コントローラ１６は、周囲温度２９（℃）、送気温度２０（℃）、周囲絶対湿度０．０２５（ｋｇ／ｋｇ（ＤＡ））のときの離間距離０．９〜１．２（ｍ）、周囲温度３１（℃）、送気温度２０（℃）、周囲絶対湿度０．０２５（ｋｇ／ｋｇ（ＤＡ））のときの離間距離０．８〜１．１（ｍ）を抽出する。次に、周囲温度２９（℃）のときの離間距離の下限値０．９（ｍ）から周囲温度３１（℃）のときの離間距離の下限値０．８（ｍ）を減算し、減算した値０．１（ｍ）を２で除して離間距離０．０５を算出する。コントローラ１６は、周囲温度２９（℃）のときの離間距離の下限値０．９（ｍ）から０．０５（ｍ）を減算（または、周囲温度３１（℃）のときの離間距離の下限値０．８（ｍ）に０．０５（ｍ）を加算）し、周囲温度３０（℃）のときの離間距離の下限値０．８５（ｍ）を算出する。
【００８０】
コントローラ１６は、周囲温度２９（℃）のときの離間距離の上限値１．２（ｍ）から周囲温度３１（℃）のときの離間距離の上限値１．１（ｍ）を減算し、減算した値０．１（ｍ）を２で除して離間距離０．０５を算出する。コントローラ１６は、周囲温度２９（℃）のときの離間距離の上限値１．２（ｍ）から０．０５（ｍ）を減算（または、周囲温度３１（℃）のときの離間距離の上限値１．１（ｍ）に０．０５（ｍ）を加算）し、周囲温度３０（℃）のときの離間距離の上限値１．１５（ｍ）を算出する（図９の（２）参照）。
【００８１】
コントローラ１６は、周囲温度３０（℃）、送気温度１６，２０（℃）、周囲絶対湿度０．０２５（ｋｇ／ｋｇ（ＤＡ））とその周囲温度、送気温度、周囲絶対湿度のときの離間距離１．７〜２．１，０．８５〜１．１５（ｍ）とを適用条件データに追加し、周囲温度３０（℃）（周囲絶対湿度０．０２５（ｋｇ／ｋｇ（ＤＡ））と送気温度１６，２０（℃）とを含む）と離間距離１．７〜２．１、離間距離０．８５〜１．１５（ｍ）とをデータベースに格納する（第１補間データ記憶手段）。
【００８２】
コントローラ１６は、周囲温度２９（℃）、送気温度１６（℃）、周囲絶対湿度０．０３０（ｋｇ／ｋｇ（ＤＡ））のときの離間距離１．６〜２．０（ｍ）、周囲温度３１（℃）、送気温度１６（℃）、周囲絶対湿度０．０３０（ｋｇ／ｋｇ（ＤＡ））のときの離間距離１．４〜１．８（ｍ）を抽出する。次に、周囲温度２９（℃）のときの離間距離の下限値１．６（ｍ）から周囲温度３１（℃）のときの離間距離の下限値１．４（ｍ）を減算し、減算した値０．２（ｍ）を２で除して離間距離０．１を算出する。コントローラ１６は、周囲温度２９（℃）のときの離間距離の下限値１．６（ｍ）から０．１（ｍ）を減算（または、周囲温度３１（℃）のときの離間距離の下限値１．４（ｍ）に０．１（ｍ）を加算）し、周囲温度３０（℃）のときの離間距離の下限値１．５（ｍ）を算出する。
【００８３】
コントローラ１６は、周囲温度２９（℃）のときの離間距離の上限値２．０（ｍ）から周囲温度３１（℃）のときの離間距離の上限値１．８（ｍ）を減算し、減算した値０．２（ｍ）を２で除して離間距離０．１を算出する。コントローラ１６は、周囲温度２９（℃）のときの離間距離の上限値２．０（ｍ）から０．１（ｍ）を減算（または、周囲温度３１（℃）のときの離間距離の上限値１．８（ｍ）に０．１（ｍ）を加算）し、周囲温度３０（℃）のときの離間距離の上限値１．９（ｍ）を算出する（図９の（３）参照）。
【００８４】
コントローラ１６は、周囲温度２９（℃）、送気温度２０（℃）、周囲絶対湿度０．０３０（ｋｇ／ｋｇ（ＤＡ））のときの離間距離０．８〜１．１（ｍ）、周囲温度３１（℃）、送気温度２０（℃）、周囲絶対湿度０．０３０（ｋｇ／ｋｇ（ＤＡ））のときの離間距離０．６〜０．９（ｍ）を抽出する。次に、周囲温度２９（℃）のときの離間距離の下限値０．８（ｍ）から周囲温度３１（℃）のときの離間距離の下限値０．６（ｍ）を減算し、減算した値０．２（ｍ）を２で除して離間距離０．１を算出する。コントローラ１６は、周囲温度２９（℃）のときの離間距離の下限値０．８（ｍ）から０．１（ｍ）を減算（または、周囲温度３１（℃）のときの離間距離の下限値０．６（ｍ）に０．１（ｍ）を加算）し、周囲温度３０（℃）のときの離間距離の下限値０．７（ｍ）を算出する。
【００８５】
コントローラ１６は、周囲温度２９（℃）のときの離間距離の上限値１．１（ｍ）から周囲温度３１（℃）のときの離間距離の上限値０．９（ｍ）を減算し、減算した値０．２（ｍ）を２で除して離間距離０．１を算出する。コントローラ１６は、周囲温度２９（℃）のときの離間距離の上限値１．１（ｍ）から０．１（ｍ）を減算（または、周囲温度３１（℃）のときの離間距離の上限値０．９（ｍ）に０．１（ｍ）を加算）し、周囲温度３０（℃）のときの離間距離の上限値１．０（ｍ）を算出する（図９の（４）参照）。
【００８６】
コントローラ１６は、周囲温度３０（℃）、送気温度１６，２０（℃）、周囲絶対湿度０．０３０（ｋｇ／ｋｇ（ＤＡ））とその周囲温度、送気温度、周囲絶対湿度のときの離間距離１．５〜１．９，０．７〜１．０（ｍ）とを適用条件データに追加し、周囲温度３０（℃）（周囲絶対湿度０．０３０（ｋｇ／ｋｇ（ＤＡ））と送気温度１６，２０（℃）とを含む）と離間距離１．５〜１．９、離間距離０．７〜１．０（ｍ）とをデータベースに格納する（第１補間データ記憶手段）。
【００８７】
第１補間データを格納した後、コントローラ１６は、第２補間手段を実行する。コントローラ１６は、周囲温度３０（℃）、送気温度１６（℃）、周囲絶対湿度０．０２５（ｋｇ／ｋｇ（ＤＡ））のときの離間距離１．７〜２．１（ｍ）、周囲温度３０（℃）、送気温度２０（℃）、周囲絶対湿度０．０２５（ｋｇ／ｋｇ（ＤＡ））のときの離間距離０．８５〜１．１５（ｍ）を抽出する。送気温度１６（℃）のときの離間距離の下限値１．７（ｍ）から送気温度２０（℃）のときの離間距離の下限値０．８５（ｍ）を減算し、減算した値０．８５（ｍ）を４で除して離間距離０．２１２５を算出する。
【００８８】
コントローラ１６は、送気温度１６（℃）のときの離間距離の下限値１．７（ｍ）から０．２１２５（ｍ）を減算し、送気温度１７（℃）のときの離間距離の下限値１．４８７５（ｍ）を算出し、送気温度１７（℃）のときの離間距離の下限値１．４８７５（ｍ）から０．２１２５（ｍ）を減算し、送気温度１８（℃）のときの離間距離の下限値１．２７５（ｍ）を算出するとともに、送気温度１８（℃）のときの離間距離の下限値１．２７５（ｍ）から０．２１２５（ｍ）を減算し、送気温度１９（℃）のときの離間距離の下限値１．０６２５（ｍ）を算出する。
【００８９】
または、送気温度２０（℃）のときの離間距離の下限値０．８５（ｍ）に０．２１２５（ｍ）を加算し、送気温度１９（℃）のときの離間距離の下限値１．０６２５（ｍ）を算出し、送気温度１９（℃）のときの離間距離の下限値１．０６２５（ｍ）に０．２１２５（ｍ）を加算し、送気温度１８（℃）のときの離間距離の下限値１．２７５（ｍ）を算出するとともに、送気温度１８（℃）のときの離間距離の下限値１．２７５（ｍ）に０．２１２５（ｍ）を加算し、送気温度１７（℃）のときの離間距離の下限値１．４８７５（ｍ）を算出する。
【００９０】
コントローラ１６は、送気温度１６（℃）のときの離間距離の上限値２．１（ｍ）から送気温度２０（℃）のときの離間距離の上限値１．１５（ｍ）を減算し、減算した値０．９５（ｍ）を４で除して離間距離０．２３７５を算出する。次に、送気温度１６（℃）のときの離間距離の上限値２．１（ｍ）から０．２３７５（ｍ）を減算し、送気温度１７（℃）のときの離間距離の上限値１．８６２５（ｍ）を算出し、送気温度１７（℃）のときの離間距離の上限値１．８６２５（ｍ）から０．２３７５（ｍ）を減算し、送気温度１８（℃）のときの離間距離の上限値１．６２５（ｍ）を算出するとともに、送気温度１８（℃）のときの離間距離の上限値１．６２５（ｍ）から０．２３７５（ｍ）を減算し、送気温度１９（℃）のときの離間距離の上限値１．８６２５（ｍ）を算出する。
【００９１】
または、送気温度２０（℃）のときの離間距離の上限値１．１５（ｍ）に０．２３７５（ｍ）を加算し、送気温度１９（℃）のときの離間距離の上限値１．３８７５（ｍ）を算出し、送気温度１９（℃）のときの離間距離の上限値１．３８７５（ｍ）に０．２３７５（ｍ）を加算し、送気温度１８（℃）のときの離間距離の上限値１．６２５（ｍ）を算出するとともに、送気温度１８（℃）のときの離間距離の上限値１．６２５（ｍ）に０．２３７５（ｍ）を加算し、送気温度１７（℃）のときの離間距離の上限値１．８６２５（ｍ）を算出する（図１０の（５）参照）。
【００９２】
コントローラ１６は、周囲温度３０（℃）、送気温度１７，１８，１９（℃）、周囲絶対湿度（０．０２５（ｋｇ／ｋｇ（ＤＡ））とその周囲温度、送気温度、周囲絶対湿度のときの離間距離１．４８７５〜１．８６２５，１．２７５〜１．６２５，１．０６２５〜１．３８７５（ｍ）を適用条件データに追加し、送気温度１７，１８，１９（℃）（周囲温度３０（℃）と周囲絶対湿度０．０２５（ｋｇ／ｋｇ（ＤＡ））とを含む）と離間距離１．４８７５〜１．８６２５（ｍ）、離間距離１．２７５〜１．６２５（ｍ）、離間距離１．０６２５〜１．３８７５（ｍ）をデータベースに格納する（第２補間データ記憶手段）。
【００９３】
コントローラ１６は、周囲温度３０（℃）、送気温度１６（℃）、周囲絶対湿度０．０３０（ｋｇ／ｋｇ（ＤＡ））のときの離間距離１．５〜１．９（ｍ）、周囲温度３０（℃）、送気温度２０（℃）、周囲絶対湿度０．０３０（ｋｇ／ｋｇ（ＤＡ））のときの離間距離０．７〜１．０（ｍ）を抽出する。送気温度１６（℃）のときの離間距離の下限値１．５（ｍ）から送気温度２０（℃）のときの離間距離の下限値０．７（ｍ）を減算し、減算した値０．８（ｍ）を４で除して離間距離０．２を算出する。
【００９４】
コントローラ１６は、送気温度１６（℃）のときの離間距離の下限値１．５（ｍ）から０．２（ｍ）を減算し、送気温度１７（℃）のときの離間距離の下限値１．３（ｍ）を算出し、送気温度１７（℃）のときの離間距離の下限値１．３（ｍ）から０．２５（ｍ）を減算し、送気温度１８（℃）のときの離間距離の下限値１．１（ｍ）を算出するとともに、送気温度１８（℃）のときの離間距離の下限値１．１（ｍ）から０．２（ｍ）を減算し、送気温度１９（℃）のときの離間距離の下限値０．９（ｍ）を算出する。
【００９５】
または、送気温度２０（℃）のときの離間距離の下限値０．７（ｍ）に０．２（ｍ）を加算し、送気温度１９（℃）のときの離間距離の下限値０．９（ｍ）を算出し、送気温度１９（℃）のときの離間距離の下限値０．９（ｍ）に０．２（ｍ）を加算し、送気温度１８（℃）のときの離間距離の下限値１．１（ｍ）を算出するとともに、送気温度１８（℃）のときの離間距離の下限値１．１（ｍ）に０．２（ｍ）を加算し、送気温度１７（℃）のときの離間距離の下限値１．３（ｍ）を算出する。
【００９６】
コントローラ１６は、送気温度１６（℃）のときの離間距離の上限値１．９（ｍ）から送気温度２０（℃）のときの離間距離の上限値１．０（ｍ）を減算し、減算した値０．９（ｍ）を４で除して離間距離０．２２５を算出する。次に、送気温度１６（℃）のときの離間距離の上限値１．９（ｍ）から０．２２５（ｍ）を減算し、送気温度１７（℃）のときの離間距離の上限値１．６７５（ｍ）を算出し、送気温度１７（℃）のときの離間距離の上限値１．６７５（ｍ）から０．２２５（ｍ）を減算し、送気温度１８（℃）のときの離間距離の上限値１．４５（ｍ）を算出するとともに、送気温度１８（℃）のときの離間距離の上限値１．４５（ｍ）から０．２２５（ｍ）を減算し、送気温度１９（℃）のときの離間距離の上限値１．２２５（ｍ）を算出する。
【００９７】
または、送気温度２０（℃）のときの離間距離の上限値１．０（ｍ）に０．２２５（ｍ）を加算し、送気温度１９（℃）のときの離間距離の上限値１．２２５（ｍ）を算出し、送気温度１９（℃）のときの離間距離の上限値１．２２５（ｍ）に０．２２５（ｍ）を加算し、送気温度１８（℃）のときの離間距離の上限値１．４５（ｍ）を算出するとともに、送気温度１８（℃）のときの離間距離の上限値１．４５（ｍ）に０．２２５（ｍ）を加算し、送気温度１７（℃）のときの離間距離の上限値１．６７５（ｍ）を算出する（図１０の（６）参照）。
【００９８】
コントローラ１６は、周囲温度３０（℃）、送気温度１７，１８，１９（℃）、周囲絶対湿度（０．０３０（ｋｇ／ｋｇ（ＤＡ））とその周囲温度、送気温度、周囲絶対湿度のときの離間距離１．３〜１．６７５，１．１〜１．４５，０．９〜１．２２５（ｍ）を適用条件データに追加し、送気温度１７，１８，１９（℃）（周囲温度３０（℃）と周囲絶対湿度０．０３０（ｋｇ／ｋｇ（ＤＡ））とを含む）と離間距離１．３〜１．６７５（ｍ）、離間距離１．１〜１．４５（ｍ）、離間距離０．９〜１．２２５（ｍ）をデータベースに格納する（第２補間データ記憶手段）。
【００９９】
第２補間データを格納した後、コントローラ１６は、第３補間手段を実行する。コントローラ１６は、周囲温度３０（℃）、送気温度１８（℃）、周囲絶対湿度０．０２５（ｋｇ／ｋｇ（ＤＡ））のときの離間距離１．２７５〜１．６２５（ｍ）、周囲温度３０（℃）、送気温度１８（℃）、周囲絶対湿度０．０３０（ｋｇ／ｋｇ（ＤＡ））のときの離間距離１．１〜１．４５（ｍ）を抽出する。コントローラ１６は、周囲絶対湿度０．０２５（ｋｇ／ｋｇ（ＤＡ））のときの離間距離の下限値１．２７５（ｍ）から周囲絶対湿度０．０３０（ｋｇ／ｋｇ（ＤＡ））のときの離間距離の下限値１．１（ｍ）を減算し、減算した値０．１７５（ｍ）を５で除して離間距離０．０３５を算出する。
【０１００】
コントローラ１６は、周囲絶対湿度０．０２５（ｋｇ／ｋｇ（ＤＡ））のときの離間距離の下限値１．２７５（ｍ）から０．０３５（ｍ）を減算し、周囲絶対湿度０．０２６（ｋｇ／ｋｇ（ＤＡ））のときの離間距離の下限値１．２４（ｍ）を算出し、周囲絶対湿度０．０２６（ｋｇ／ｋｇ（ＤＡ））のときの離間距離の下限値１．２４（ｍ）から０．０３５（ｍ）を減算し、周囲絶対湿度０．０２７（ｋｇ／ｋｇ（ＤＡ））のときの離間距離の下限値１．２０５（ｍ）を算出する。さらに、周囲絶対湿度０．０２７（ｋｇ／ｋｇ（ＤＡ））のときの離間距離の下限値１．２０５（ｍ）から０．０３５（ｍ）を減算し、周囲絶対湿度０．０２８（ｋｇ／ｋｇ（ＤＡ））のときの離間距離の下限値１．１７（ｍ）を算出し、周囲絶対湿度０．０２８（ｋｇ／ｋｇ（ＤＡ））のときの離間距離の下限値１．１７（ｍ）から０．０３５（ｍ）を減算し、周囲絶対湿度０．０２９（ｋｇ／ｋｇ（ＤＡ））のときの離間距離の下限値１．１３５（ｍ）を算出する。
【０１０１】
または、周囲絶対湿度０．０３０（ｋｇ／ｋｇ（ＤＡ））のときの離間距離の下限値１．１（ｍ）に０．０３５（ｍ）を加算し、周囲絶対湿度０．０２９（ｋｇ／ｋｇ（ＤＡ））のときの離間距離の下限値１．１３５（ｍ）を算出し、周囲絶対湿度０．０２９（ｋｇ／ｋｇ（ＤＡ））のときの離間距離の下限値１．１３５（ｍ）に０．０３５（ｍ）を加算し、周囲絶対湿度０．０２８（ｋｇ／ｋｇ（ＤＡ））のときの離間距離の下限値１．１７（ｍ）を算出する。さらに、周囲絶対湿度０．０２８（ｋｇ／ｋｇ（ＤＡ））のときの離間距離の下限値１．１７（ｍ）に０．０３５（ｍ）を加算し、周囲絶対湿度０．０２７（ｋｇ／ｋｇ（ＤＡ））のときの離間距離の下限値１．２０５（ｍ）を算出し、周囲絶対湿度０．０２７（ｋｇ／ｋｇ（ＤＡ））のときの離間距離の下限値１．２０５（ｍ）に０．０３５（ｍ）を加算し、周囲絶対湿度０．０２６（ｋｇ／ｋｇ（ＤＡ））のときの離間距離の下限値１．２４（ｍ）を算出する。
【０１０２】
コントローラ１６は、周囲絶対湿度０．０２５（ｋｇ／ｋｇ（ＤＡ））のときの離間距離の上限値１．６２５（ｍ）から周囲絶対湿度０．０３０（ｋｇ／ｋｇ（ＤＡ））のときの離間距離の上限値１．４５（ｍ）を減算し、減算した値０．１７５（ｍ）を５で除して離間距離０．０３５を算出する。
【０１０３】
コントローラ１６は、周囲絶対湿度０．０２５（ｋｇ／ｋｇ（ＤＡ））のときの離間距離の上限値１．６２５（ｍ）から０．０３５（ｍ）を減算し、周囲絶対湿度０．０２６（ｋｇ／ｋｇ（ＤＡ））のときの離間距離の上限値１．５９（ｍ）を算出し、周囲絶対湿度０．０２６（ｋｇ／ｋｇ（ＤＡ））のときの離間距離の上限値１．５９（ｍ）から０．０３５（ｍ）を減算し、周囲絶対湿度０．０２７（ｋｇ／ｋｇ（ＤＡ））のときの離間距離の上限値１．５５５（ｍ）を算出する。さらに、周囲絶対湿度０．０２７（ｋｇ／ｋｇ（ＤＡ））のときの離間距離の上限値１．５５５（ｍ）から０．０３５（ｍ）を減算し、周囲絶対湿度０．０２８（ｋｇ／ｋｇ（ＤＡ））のときの離間距離の上限値１．５２（ｍ）を算出し、周囲絶対湿度０．０２８（ｋｇ／ｋｇ（ＤＡ））のときの離間距離の上限値１．５２（ｍ）から０．０３５（ｍ）を減算し、周囲絶対湿度０．０２９（ｋｇ／ｋｇ（ＤＡ））のときの離間距離の上限値１．４８５（ｍ）を算出する。
【０１０４】
または、周囲絶対湿度０．０３０（ｋｇ／ｋｇ（ＤＡ））のときの離間距離の上限値１．４５（ｍ）に０．０３５（ｍ）を加算し、周囲絶対湿度０．０２９（ｋｇ／ｋｇ（ＤＡ））のときの離間距離の上限値１．４８５（ｍ）を算出し、周囲絶対湿度０．０２９（ｋｇ／ｋｇ（ＤＡ））のときの離間距離の上限値１．４８５（ｍ）に０．０３５（ｍ）を加算し、周囲絶対湿度０．０２８（ｋｇ／ｋｇ（ＤＡ））のときの離間距離の上限値１．５２（ｍ）を算出する。さらに、周囲絶対湿度０．０２８（ｋｇ／ｋｇ（ＤＡ））のときの離間距離の上限値１．５２（ｍ）に０．０３５（ｍ）を加算し、周囲絶対湿度０．０２７（ｋｇ／ｋｇ（ＤＡ））のときの離間距離の上限値１．５５５（ｍ）を算出し、周囲絶対湿度０．０２７（ｋｇ／ｋｇ（ＤＡ））のときの離間距離の上限値１．５５５（ｍ）に０．０３５（ｍ）を加算し、周囲絶対湿度０．０２６（ｋｇ／ｋｇ（ＤＡ））のときの離間距離の上限値１．５９（ｍ）を算出する（図１０の（７）参照）。
【０１０５】
コントローラ１６は、周囲温度３０（℃）、送気温度１８（℃）、周囲絶対湿度（０．０２６，０．０２７，０．０２８，０．０２９（ｋｇ／ｋｇ（ＤＡ））とその周囲温度、送気温度、周囲絶対湿度のときの離間距離１．２４〜１．５９，１．２０５〜１．５５５，１．１７〜１．５２，１．１３５〜１．４８５（ｍ）を適用条件データに追加し、周囲絶対湿度（０．０２６，０．０２７，０．０２８，０．０２９（ｋｇ／ｋｇ（ＤＡ））（周囲温度３０（℃）と送気温度１８（℃）とを含む）と離間距離１．２４〜１．５９（ｍ）、離間距離１．２０５〜１．５５５（ｍ）、離間距離１．１７〜１．５２（ｍ）、離間距離１．１３５〜１．４８５（ｍ）をデータベースに格納する（第３補間データ記憶手段）。
【０１０６】
図１１は、適用条件データ作成画面の一例を示す図であり、図１２は、設定条件入力画面の一例を示す図である。図１３は、適用条件データ作成のための設定条件入力手順の一例を示すフローチャートであり、図１４は、ＣＦＤ解析・ＳＥＴ＊算出手順の一例を示すフローチャートである。このシステム１０では、作業エリア１２の温度コントロールを実施する前提として、最初に適用条件データが作成される。適用条件データ作成では、初めにＣＦＤ解析の前提となる設定条件を入力する。コントローラ１６を起動すると、コントローラ１６は、メモリに格納されたアプリケーションを起動し、図示はしていないが、システム１０の初期画面をディスプレイ２０に表示する。初期画面には、適用条件データ作成ボタン、温度コントロールスタートボタン、ログアウトボタンが表示される。ログアウトボタンをクリックすると、システム１０を閉じる。なお、すでに適用条件データが作成され、その適用条件データがハードディスクに格納されている場合、適用条件データ作成ボタンではなく、適用条件データ変更ボタンがディスプレイ２０に表示される。適用条件データ作成ボタンをクリックすると、コントローラ１６は、図１１の適用条件データ作成画面をディスプレイ２０に表示する。適用条件データ作成画面には、設定条件入力ボタン３０ａ、ＣＦＤ解析・ＳＥＴ＊算出ボタン３０ｂ、適用条件データ表示ボタン３０ｃ、キャンセルボタン３０ｄ、終了ボタン３０ｅが表示される。キャンセルボタン３０ｄをクリックすると、初期画面に戻る。終了ボタン３０ｅをクリックすると、システム１０を閉じる。
【０１０７】
設定条件入力ボタン３０ａをクリックすると、コントローラ１６は、図１２の設定条件入力画面をディスプレイ２０に表示する。設定条件入力画面には、離間距離入力エリア３１ａ、吹出口入力エリア３１ｂ、吹出口風速入力エリア３１ｃ、着衣量入力エリア３１ｄ、代謝量入力エリア３１ｅ、周囲温度と放射温度との温度差（周囲温度と放射温度との差）入力エリア３１ｆ、実行ボタン３１ｇ、クリアボタン３１ｈ、キャンセルボタン３１ｉが表示される。
【０１０８】
離間距離（吹出口から空調対象の作業エリアまでの距離）を決定し、決定した離間距離を離間距離入力エリア３１ａに入力（離間距離入力エリア３１ａのプルダウンリストから離間距離を選択）する（Ｓ−１０）。吹出口を決定し、決定した吹出口を吹出口入力エリア３１ｂに入力（吹出口入力エリア３１ｂのプルダウンリストから吹出口サイズを選択）する（Ｓ−１１）。吹出口風速（風量）を決定し、決定した吹出口風速を吹出口風速入力エリア３１ｃに入力（吹出口風速入力エリア３１ｃのプルダウンリストから吹出口風速を選択）する（Ｓ−１２）。吹出口１９から作業エリア１２までの距離は、吹出口１９から作業エリア１２で作業する作業者１１の上半身までの距離である。
【０１０９】
さらに、作業エリア１２で作業する作業者１１の着衣量を決定し、決定した着衣量を着衣量入力エリア３１ｄに入力（着衣量入力エリア３１ｄのプルダウンリストから着衣量を選択）する（Ｓ−１３）。作業エリア１２で作業する作業者１１の代謝量を決定し、決定した代謝量を代謝量入力エリア３１ｅに入力（代謝量入力エリア３１ｅのプルダウンリストから代謝量を選択）する（Ｓ−１４）。周囲温度と放射温度との差を温度差入力エリア３１ｆに入力（温度差入力エリア３１ｆのプルダウンリストから温度差を選択）する（Ｓ−１５）。
【０１１０】
それら入力エリア３１ａ〜３１ｆに各設定条件を入力した後、実行ボタン３１ｇをクリックすると、コントローラ１６は、設定条件確認画面をディスプレイ２０に表示する（図示せず）。設定条件確認画面には、各入力エリアに設定条件が表示されるとともに、設定条件確認ボタン、条件変更ボタンが表示される。設定条件に変更があれば、条件変更ボタンをクリックする。条件変更ボタンをクリックすると、図１２の設定条件入力画面に戻り、設定条件を再入力する。
【０１１１】
設定条件に変更がなければ、設定条件確認ボタンをクリックする。設定条件確認ボタンをクリックすると、コントローラ１６は、入力されたそれら設定条件（格納日時、設定条件識別子を含む）をハードディスクのデータベースに格納する（Ｓ−１６）。コントローラ１６は、それら設定条件を格納すると、図１１の適用条件データ作成画面をディスプレイ２０に表示する。なお、図１２の設定条件入力画面においてクリアボタン３１ｈをクリックすると、入力エリア３１ａ〜３１ｆに入力された設定条件が消去され、条件を再入力する。キャンセルボタン３１ｉをクリックすると、図１１の適用条件データ作成画面に戻る。
【０１１２】
設定条件を入力した後、図１１の適用条件データ作成画面において、ＣＦＤ解析・ＳＥＴ＊算出ボタン３０ｂをクリックする。ＣＦＤ解析・ＳＥＴ＊算出ボタン３０ｂをクリックすると、コントローラ１６は、図示はしていないが、周囲温度入力エリアや周囲湿度入力エリア、ＣＦＤ解析・ＳＥＴ＊算出開始ボタン、クリアボタン、キャンセルボタンが表示されたＣＦＤ解析・ＳＥＴ＊算出指示画面をディスプレイ２０に表示する。任意の周囲温度を決定し、決定した周囲温度を周囲温度入力エリアに入力（周囲温度入力エリアのプルダウンリストから周囲温度を選択）する（Ｓ−２０）。次に、任意の周囲絶対湿度を決定し、決定した周囲絶対湿度を周囲絶対湿度入力エリアに入力（周囲絶対湿度入力エリアのプルダウンリストから周囲絶対湿度を選択）する（Ｓ−２１）。なお、クリアボタンをクリックすると、周囲温度入力エリアや周囲絶対湿度入力エリアに入力された周囲温度や周囲絶対湿度が消去され、それらを再入力する。キャンセルボタンをクリックすると、図１１の適用条件データ作成画面に戻る。
【０１１３】
周囲温度や周囲絶対湿度を入力した後、ＣＦＤ解析・ＳＥＴ＊算出開始ボタンをクリックすると、コントローラ１６は、ハードディスクに格納した設定条件を読み込み（Ｓ−２２）、送気温度を変更してＣＦＤ解析を行う（ＣＦＤ解析手段）（Ｓ−２３）。なお、ＣＦＤ解析は、原則としてシステム起動後の最初に１回のみ行う。ただし、工場やビルの拡張工事や設備のレイアウト変更等があった場合は、ＣＦＤ解析を再度行う場合がある。コントローラ１６は、作業エリア１２近傍の任意に設定された周囲温度と、作業エリア１２近傍の任意に設定された周囲絶対湿度と、吹出口１９における任意に設定された風速と、吹出口１９における任意に設定された送気温度と、吹出口１９における任意に設定された絶対湿度とを使用し、吹出口１９における送気温度を変更しつつＣＦＤ解析を行って吹出口１９から任意の距離の温度、湿度、風速を求める。
【０１１４】
ＣＦＤ解析を行った後、コントローラ１６は、ＳＥＴ＊の快適域の範囲に入るような吹出口１９から作業エリア１２までの離間距離を決定する（離間距離決定手段）（Ｓ−２４）。コントローラ１６は、ＣＦＤ解析手段によって求めた温度、湿度、風速と、周囲温度と作業エリア１２近傍の放射温度（グローブ温度）との差と、作業エリア１２で作業する作業者１１の着衣量と、作業エリア１２で作業する作業者１１の代謝量とを用いて吹出口１９から任意の距離の新標準有効温度（ＳＥＴ＊）を算出し、算出した新標準有効温度（ＳＥＴ＊）が２２．２〜２５．６℃（快適域）となる吹出口１９から作業エリア１２までの離間距離を決定する。
【０１１５】
離間距離を決定した後、コントローラ１６は、作業エリア１２を除くその近傍の任意に設定された周囲温度と、作業エリア１２を除くその近傍の任意に設定された周囲絶対湿度と、離間距離決定手段によって求めた吹出口１９から作業エリア１２までの離間距離と、吹出口１９から送気される空調空気の送気温度との関連を示す複数の適用条件データを作成する（適用条件データ作成手段）（Ｓ−２５）。コントローラ１６は、生成した適用条件データ（格納日時、任意の周囲温度、任意の周囲絶対湿度、適用条件データ識別子を含む）をファイル化してハードディスクのデータベースに格納（記憶）する（適用条件データ記憶手段）（Ｓ−２６）。
【０１１６】
図１５は、実測離間距離入力画面の一例を示す図であり、図１６は、このシステム１０によって行われる温度コントロールの一例を示すフローチャートである。なお、図１６に示す手順では、上述した第１〜第３補間手段を実行することなく、センサ１４，１５から出力された温度や湿度が適用条件データから欠落していた場合、その温度や湿度の直近の適用条件データに存在する温度や湿度をセンサ１４，１５から出力された温度や湿度と仮定し、仮定した温度や湿度を適用条件データに当て嵌め、そのときの送気温度を最適送気温度とする。また、このシステム１０では、あらかじめ適用条件データを作成し、その適用条件データがハードディスクに格納された後、各作業エリア１２の温度コントロールが実施される。各作業エリア１２の温度コントロールを開始するには、初期画面において、温度コントロールスタートボタンをクリックする。温度コントロールスタートボタンをクリックすると、コントローラ１６は、図１５の実測離間距離入力画面をディスプレイ２０に表示する。実測離間距離入力画面には、実測離間距離入力エリア３２ａ、温度コントロール実行ボタン３２ｂ、キャンセルボタン３２ｃが表示される。キャンセルボタン３２ｃをクリックすると、初期画面に戻る。実測離間距離入力エリア３２ａに吹出口１９から作業エリア１２までの実際の離間距離を入力（実測離間距離入力エリア３２ａのプルダウンリストから実測離間距離を選択）し、温度コントロール実行ボタン３２ｂをクリックする。
【０１１７】
温度コントロール実行ボタン３２ｂをクリックすると、コントローラ１６は、各作業エリア１２の温度制御を開始する。コントローラ１６は、ハードディスクに格納した適用条件データを読み込むとともに（Ｓ−３０）、温度センサ１４に作業エリア１２を除くその近傍の温度測定を指示し、湿度センサ１５に作業エリア１２を除くその近傍の湿度測定を指示する（Ｓ−３１）。温度センサ１４は、コントローラ１６からの温度測定指示に従い、作業エリア１２を除くその近傍の温度を測定し、測定した実測温度をコントローラ１６に出力する。湿度センサ１５は、コントローラ１６からの湿度測定指示に従い、作業エリア１２を除くその近傍の湿度を測定し、測定した実測湿度をコントローラ１６に出力する。
【０１１８】
コントローラ１６は、温度センサ１４から入力された実測温度（温度）と湿度センサ１５から入力された実測湿度（湿度）とが適用条件データの中に存在するかを判断する（Ｓ−３２）。実測温度と実測湿度とが適用条件データの中に存在すると判断した場合、コントローラ１６は、その実測温度および実測湿度と入力された実測離間距離とを適用条件データに当て嵌め、実測温度や実測湿度、実測離間距離に対応する送気温度を最適送気温度と判断し、吹出口１９から送気する空調空気の最適送気温度を決定する（最適送気温度決定手段）（Ｓ−３３）。たとえば、実測温度（周囲温度）が２８（℃）、実測湿度（周囲絶対湿度）が０．０２５（ｋｇ／ｋｇ（ＤＡ））、実測離間距離（離間距離）が２．３（ｍ）の場合、図３の適用条件データにそれら数値を当て嵌め、そのときの送気温度１６（℃）を最適送気温度と決定する（図３参照）。
【０１１９】
コントローラ１６は、ステップ３３（Ｓ−３３）の最適送気温度決定手段によって決定した最適送気温度１６（℃）の空調空気を吹出口１９から送気し得るように、温度制御信号を空調装置１７に出力し、空調装置１７を制御する（送気温度制御手段）（Ｓ−３４）。コントローラ１６は、空調装置１７の出力を制御して吹出口１９から送気する空調空気の温度を最適送気温度１６（℃）にする。コントローラ１６は、システム１０の継続または停止を判断する（Ｓ−３５）。システム停止指示によってシステム１０を停止すると判断すると、コントローラ１６は、システム１０をＯＦＦにしてシステム１０の稼動を停止する。システム１０を継続する場合、コントローラ１６は、ステップ３２（Ｓ−３２）からの手続を繰り返す。
【０１２０】
ステップ３２（Ｓ−３２）に戻って実測温度と実測湿度とのうちの少なくとも１つが適用条件データの中に存在しないと判断した場合、コントローラ１６は、その実測温度や実測湿度に最も近似する値（適用条件データの中に存在する直近の温度や湿度）を適用条件データに当て嵌め、そのときの送気温度を最適送気温度と判断し、吹出口１９から送気する空調空気の最適送気温度を決定する（最適送気温度決定手段）（Ｓ−３６）。たとえば、実測温度（周囲温度）が３２（℃）、実測湿度（周囲絶対湿度）が０．０２６（ｋｇ／ｋｇ（ＤＡ））、実測離間距離（離間距離）が１．７（ｍ）の場合、図３の適用条件データにそれら温度や湿度の近似値である温度（周囲温度）３１（℃）、湿度（周囲絶対湿度）０．０２５（ｋｇ／ｋｇ（ＤＡ））、実測離間距離（離間距離）１．７（ｍ）を当て嵌め、そのときの送気温度１６（℃）を最適送気温度と決定する（図３参照）。
【０１２１】
コントローラは、ステップ３６（Ｓ−３６）の最適送気温度決定手段によって決定した最適送気温度１６（℃）の空調空気を吹出口１９から送気し得るように、温度制御信号を空調装置１７に出力し、空調装置１７を制御する（送気温度制御手段）（Ｓ−３４）。コントローラ１６は、空調装置１７の出力を制御して吹出口１９から送気する空調空気の温度を最適送気温度１６（℃）にする。コントローラ１６は、システム１０の継続または停止を判断する（Ｓ−３５）。システム停止指示によってシステム１０を停止すると判断すると、コントローラ１７は、システム１０をＯＦＦにしてシステム１０の稼動を停止する。システム１０を継続する場合、コントローラ１６は、ステップ３２（Ｓ−３２）からの手続を繰り返す。
【０１２２】
作業エリア温度コントロールシステム１０は、作業エリア１２を新標準有効温度（ＳＥＴ＊）の快適範囲内にするための適用条件データに実測温度と実測湿度と実測離間距離とを当て嵌め、吹出口１９から送気する空調空気の最適送気温度を決定し、決定した最適送気温度の空調空気を吹出口１９から送気し得るように空調装置１７を制御するから、工場やビル等の建物の内部空間に形成された作業エリア１２の温度を新標準有効温度（ＳＥＴ＊）の快適範囲内にすることができ、作業エリア１２の体感温度を快適に保持することができる。このシステム１０は、作業エリア１２の温度を新標準有効温度（ＳＥＴ＊）の快適範囲内にすることで、エリア１２で作業する作業者１１にとって快適な作業エリア１２を作ることができ、作業エリア１２の温度を作業者１１の作業に適した温度に維持することができる。
【０１２３】
作業エリア温度コントロールシステム１０は、周囲温度と周囲絶対湿度と吹出口１９における風速と吹出口１９における送気温度と吹出口１９における絶対湿度とを用いてＣＦＤ（Computational Fluid Dynamics）解析を行い、吹出口１９から任意の距離の温度、湿度、風速を求めた後、ＣＦＤ解析によって求めた温度、湿度、風速と、周囲温度と作業エリア１２近傍の放射温度との差と、作業者１１の着衣量と、作業者１１の代謝量とを用いて吹出口１９から任意の距離の新標準有効温度（ＳＥＴ＊）を算出し、その新標準有効温度が２２．２〜２５．６℃となる吹出口１９から作業エリア１２までの離間距離を決定するから、作業エリア１２を新標準有効温度（ＳＥＴ＊）の快適範囲内にするための最適な適用条件データを作ることができる。
【０１２４】
図１７は、このシステム１０によって行われる温度コントロールの他の一例を示すフローチャートである。なお、図１７に示す手順では、センサ１４，１５から出力された温度や湿度が適用条件データから欠落していた場合、上述した第１〜第３補間手段を実行し、第１〜第３補間手段によって欠落した温度や湿度を補充し、センサ１４，１５から出力された温度や湿度を補充した温度や湿度に当て嵌め、そのときの送気温度を最適送気温度とする。図１７に示す温度コントロールを実施するには、初期画面において、温度コントロールスタートボタンをクリックする。温度コントロールスタートボタンをクリックすると、コントローラ１６は、実測離間距離入力画面をディスプレイ２０に表示する（図１５援用）。実測離間距離入力エリア３２ａに吹出口１９から作業エリア１２までの実際の離間距離を入力（実測離間距離入力エリア３２ａのプルダウンリストから実測離間距離を選択）し、温度コントロール実行ボタン３２ｂをクリックする。温度コントロール実行ボタン３２ｂをクリックすると、コントローラ１６は、各作業エリア１２の温度制御を開始する。コントローラ１６は、ハードディスクに格納した適用条件データを読み込むとともに（Ｓ−４０）、温度センサ１４に作業エリア１２を除くその近傍の温度測定を指示し、湿度センサ１５に作業エリア１２を除くその近傍の湿度測定を指示する（Ｓ−４１）。温度センサ１４は、作業エリア１２を除くその近傍の温度を測定し、測定した実測温度をコントローラ１６に出力する。湿度センサ１５は、作業エリア１２を除くその近傍の湿度を測定し、測定した実測湿度をコントローラ１６に出力する。
【０１２５】
コントローラ１６は、実測温度（温度）と実測湿度（湿度）とが適用条件データの中に存在するかを判断する（Ｓ−４２）。実測温度と実測湿度とが適用条件データの中に存在すると判断した場合、コントローラ１６は、その実測温度や実測湿度を適用条件データに当て嵌めたときの送気温度を最適送気温度と判断し、吹出口から送気する空調空気の最適送気温度を決定する（最適送気温度決定手段）（Ｓ−４３）。たとえば、実測温度（周囲温度）が２９（℃）、実測湿度（周囲絶対湿度）が０．０２５（ｋｇ／ｋｇ（ＤＡ））、実測離間距離（離間距離）が１．０（ｍ）の場合、図３の適用条件データにそれら数値を当て嵌め、そのときの送気温度２０（℃）を最適送気温度と決定する（図３参照）。
【０１２６】
コントローラ１６は、ステップ４３（Ｓ−４３）の最適送気温度決定手段によって決定した最適送気温度２０（℃）の空調空気を吹出口１９から送気し得るように、温度制御信号を空調装置１７に出力し、空調装置１７を制御する（送気温度制御手段）（Ｓ−４４）。コントローラ１６は、空調装置１７の出力を制御して吹出口１９から送気する空調空気の温度を最適送気温度２０（℃）にする。コントローラ１６は、システム１０の継続または停止を判断する（Ｓ−４５）。システム停止指示によってシステム１０を停止すると判断すると、コントローラ１６は、システム１０をＯＦＦにしてシステム１０の稼動を停止する。システム１０を継続する場合、コントローラ１６は、ステップ４２（Ｓ−４２）からの手続を繰り返す。
【０１２７】
ステップ４２（Ｓ−４２）に戻って実測温度と実測湿度とのうちの少なくとも１つが適用条件データの中に存在しないと判断した場合、コントローラ１６は、その実測温度や実測湿度に基づいて第１〜第３補間手段のうちの少なくとも１つを実行する。第１〜第３補間手段の実行の一例は以下のとおりである。たとえば、実測温度（周囲温度）が３０（℃）、実測湿度（周囲絶対湿度）が０．０２５（ｋｇ／ｋｇ（ＤＡ））、実測離間距離（離間距離）が１．１５（ｍ）である場合、コントローラ１６は、第１補間手段を実行し（Ｓ−４６）、図３において欠落した周囲温度３０（℃）に隣接する周囲温度２９（℃）と周囲温度３１（℃）とを用いて線形補間を行い（周囲絶対湿度０．０２５（ｋｇ／ｋｇ（ＤＡ））、送気温度２０（℃））、その欠落した周囲温度３０（℃）に対応する離間距離を求める（第１補間手段、図４参照）。
【０１２８】
コントローラ１６は、図４の手順によって求めた離間距離０．８５〜１．１５（ｍ）（実測温度（周囲温度）３０（℃）、実測湿度（周囲絶対湿度）０．０２５（ｋｇ／ｋｇ（ＤＡ））、適用条件データ識別子を含む）をハードディスクのデータベースに格納した後、実測温度（周囲温度）３０（℃）、実測湿度（周囲絶対湿度）０．０２５（ｋｇ／ｋｇ（ＤＡ））、実測離間距離（離間距離）０．８５（ｍ）を第１補間手段によって求めた適用条件データに当て嵌め、そのときの送気温度２０（℃）を最適送気温度と判断し、吹出口１９から送気する空調空気の最適送気温度２０（℃）を決定する（最適送気温度決定手段）（Ｓ−４７）。コントローラ１６は、ステップ４７（Ｓ−４７）の最適送気温度決定手段によって決定した最適送気温度２０（℃）の空調空気を吹出口１９から送気し得るように、温度制御信号を空調装置１７に出力し、空調装置１７を制御する（送気温度制御手段）（Ｓ−４４）。
【０１２９】
なお、実測温度（周囲温度）２９．５（℃）の実測データにおいて、コントローラ１６は、周囲温度２９（℃），３０（℃）、周囲絶対湿度０．０２５（ｋｇ／ｋｇ（ＤＡ））、離間距離０．９〜１．２，０．８５〜１．１５（ｍ）の適用条件データに実測データを当て嵌める。このとき、実測離間距離１．１５（ｍ）が周囲温度２９および３０（℃）の両方に当て嵌る（図４参照）。この場合、コントローラ１６は、欠落した周囲温度３０（℃）に対応する離間距離１．１５（ｍ）の範囲内に最適送気温度が入っていると、それら最適送気温度のうちの最も高い温度の最適送気温度２０（℃）を選択する（最適送気温度決定手段）。したがって、吹出口１９から送気する空調空気の最適送気温度を２０（℃）に決定する。コントローラ１６は、最適送気温度決定手段によって選択された最も高い温度の最適送気温度２０（℃）の空調空気を吹出口１９から送気し得るように空調装置１７を制御する（送気温度制御手段）。
【０１３０】
第１〜第３補間手段の実行の他の一例は以下のとおりである。たとえば、実測温度（周囲温度）が２８（℃）、実測湿度（周囲絶対湿度）が０．０２５（ｋｇ／ｋｇ（ＤＡ））、実測離間距離（離間距離）が１．１５（ｍ）である場合、コントローラ１６は、第２補間手段を実行し（Ｓ−４６）、図３において欠落した送気温度２１〜２３（℃）に隣接する送気温度２０（℃）と送気温度２４（℃）とを用いて線形補間を行い（周囲温度２８（℃）、周囲絶対湿度０．０２５（ｋｇ／ｋｇ（ＤＡ）））、その欠落した送気温度２１〜２３（℃）に対応する離間距離を求める（第２補間手段、図５参照）。
【０１３１】
コントローラ１６は、図５の手順によって求めた離間距離０．９７５〜１．４５（ｍ）、０．８５〜１．３（ｍ）、０．７２５〜１．１５（ｍ）（実測温度（周囲温度）２８（℃）、実測湿度（周囲絶対湿度）０．０２５（ｋｇ／ｋｇ（ＤＡ））、適用条件データ識別子を含む）をハードディスクのデータベースに格納した後、実測温度（周囲温度）２８（℃）、実測湿度（周囲絶対湿度）０．０２５（ｋｇ／ｋｇ（ＤＡ））、実測離間距離（離間距離）１．１５（ｍ）を第２補間手段によって求めた適用条件データに当て嵌め、そのときの送気温度２３（℃）を最適送気温度と判断し、吹出口１９から送気する空調空気の最適送気温度２３（℃）を決定する（最適送気温度決定手段）（Ｓ−４７）。コントローラ１６は、ステップ４７（Ｓ−４７）の最適送気温度決定手段によって決定した最適送気温度２３（℃）の空調空気を吹出口１９から送気し得るように、温度制御信号を空調装置１７に出力し、空調装置１７を制御する（送気温度制御手段）（Ｓ−４４）。
【０１３２】
なお、実測温度（周囲温度）２８（℃）、実測湿度（周囲絶対湿度）０．０２５（ｋｇ／ｋｇ（ＤＡ））、実測離間距離（離間距離）１．１５（ｍ）の実測データにおいて、コントローラ１６は、周囲温度２８（℃）、周囲絶対湿度０．０２５（ｋｇ／ｋｇ（ＤＡ））、送気温度２０，２１，２２，２３（℃）、離間距離１．１〜１．６，０．９７５〜１．４５，０．８５〜１．３，０．７２５〜１．１５（ｍ）の適用条件データにそれら実測データを当て嵌める。このとき、実測離間距離１．１５（ｍ）が送気温度２０，２１，２２，２３（℃）に当て嵌る（図５参照）。この場合、コントローラ１６は、送気温度２０，２１，２２，２３（℃）に対応する離間距離１．１５（ｍ）の範囲内に最適送気温度が入っていると、それら最適送気温度のうちの最も高い温度の最適送気温度２３（℃）を選択する（最適送気温度決定手段）。したがって、吹出口１９から送気する空調空気の最適送気温度を２３（℃）に決定する。コントローラ１６は、最適送気温度決定手段によって選択された最も高い温度の最適送気温度２３（℃）の空調空気を吹出口１９から送気し得るように空調装置１７を制御する（送気温度制御手段）。
【０１３３】
第１〜第３補間手段の実行の他の一例は以下のとおりである。たとえば、実測温度（周囲温度）が２８（℃）、実測湿度（周囲絶対湿度）が０．０２９（ｋｇ／ｋｇ（ＤＡ））、実測離間距離（離間距離）が１．４４（ｍ）である場合、コントローラ１６は、第３補間手段を実行し（Ｓ−４６）、図３において欠落した周囲絶対湿度０．０２６〜０．０２９（ｋｇ／ｋｇ（ＤＡ））に隣接する周囲絶対湿度０．０２５（ｋｇ／ｋｇ（ＤＡ））と周囲絶対湿度０．０３０（ｋｇ／ｋｇ（ＤＡ））とを用いて線形補間を行い（周囲温度２８（℃）、総気温度２０（℃））、その欠落した周囲絶対湿度０．０２６〜０．０２９（ｋｇ／ｋｇ（ＤＡ））に対応する離間距離を求める（図６参照）。
【０１３４】
コントローラ１６は、図６の手順によって求めた離間距離１．０８〜１．５６（ｍ），１．０６〜１．５２（ｍ），１．０４〜１．４８（ｍ），１．０２〜１．４４（ｍ）（実測温度（周囲温度）２８（℃）、総気温度２０（℃）、適用条件データ識別子を含む）をハードディスクのデータベースに格納した後、実測温度（周囲温度）２８（℃）、実測湿度（周囲絶対湿度）０．０２９（ｋｇ／ｋｇ（ＤＡ））、実測離間距離（離間距離）１．４４（ｍ）を第３補間手段によって求めた適用条件データに当て嵌め、そのときの送気温度２０（℃）を最適送気温度と判断し、吹出口１９から送気する空調空気の最適送気温度２０（℃）を決定する（最適送気温度決定手段）（Ｓ−４７）。コントローラ１６は、ステップ４７（Ｓ−４７）の最適送気温度決定手段によって決定した最適送気温度２０（℃）の空調空気を吹出口１９から送気し得るように、温度制御信号を空調装置１７に出力し、空調装置１７を制御する（送気温度制御手段）（Ｓ−４４）。
【０１３５】
なお、実測温度（周囲温度）２８（℃）、実測湿度（周囲絶対湿度）０．０２９（ｋｇ／ｋｇ（ＤＡ））、実測離間距離（離間距離）１．４４（ｍ）の実測データにおいて、コントローラ１６は、周囲温度２８（℃）、周囲絶対湿度０．０２５〜０．０２９（ｋｇ／ｋｇ（ＤＡ））、離間距離１．１〜１．６，１．０８〜１．５６，１．０６〜１．５２，１．０４〜１．４８，１．０２〜１．４４（ｍ）の適用条件データにそれら実測データを当て嵌める。このとき、実測離間距離１．４４（ｍ）が周囲絶対湿度０．０２５〜０．０２９（ｋｇ／ｋｇ（ＤＡ））に当て嵌る（図６参照）。この場合、コントローラ１６は、欠落した周囲絶対湿度０．０２５〜０．０２９（ｋｇ／ｋｇ（ＤＡ））に対応する離間距離１．４４（ｍ）の範囲内に最適送気温度が入っていると、それら最適送気温度のうちの最も高い温度の最適送気温度２０（℃）を選択する（最適送気温度決定手段）。したがって、吹出口１９から送気する空調空気の最適送気温度を２０（℃）に決定する。コントローラ１６は、最適送気温度決定手段によって選択された最も高い温度の最適送気温度２０（℃）の空調空気を吹出口１９から送気し得るように空調装置１７を制御する（送気温度制御手段）。
【０１３６】
第１〜第３補間手段の実行の他の一例は以下のとおりである。たとえば、実測温度（周囲温度）が３０（℃）、実測湿度（周囲絶対湿度）が０．０３０（ｋｇ／ｋｇ（ＤＡ））、実測離間距離（離間距離）が１．３５（ｍ）である場合、コントローラ１７は、第１および第２補間手段を実行し（Ｓ−４６）、図３において欠落した周囲温度３０（℃）に隣接する周囲温度２９（℃）と周囲温度３１（℃）とを用いて線形補間を行うとともに、送気温度１７〜１９（℃）に隣接する送気温度１６（℃）と送気温度２０（℃）とを用いて線形補間を行い（周囲絶対湿度０．０３０（ｋｇ／ｋｇ（ＤＡ）））、その欠落した周囲温度３０（℃）、送気温度１７〜１９（℃）に対応する離間距離を求める（図７参照）。
【０１３７】
コントローラ１６は、図７の手順によって求めた離間距離１．３〜１．６７５（ｍ）、１．１〜１．４５（ｍ）、０．９〜１．２２５（ｍ）（周囲温度３０（℃）、周囲絶対湿度０．０３０（ｋｇ／ｋｇ（ＤＡ））、送気温度１７〜１９（℃）、適用条件データ識別子を含む）をハードディスクのデータベースに格納した後、実測温度（周囲温度）３０（℃）、実測湿度（周囲絶対湿度）０．０３０（ｋｇ／ｋｇ（ＤＡ））、実測離間距離（離間距離）１．３５（ｍ）を第１および第２補間手段によって求めた適用条件データに当て嵌め、そのときの送気温度１７（℃）を最適送気温度と判断し、吹出口１９から送気する空調空気の最適送気温度２３（℃）を決定する（最適送気温度決定手段）（Ｓ−４７）。コントローラ１６は、ステップ４７（Ｓ−４７）の最適送気温度決定手段によって決定した最適送気温度２３（℃）の空調空気を吹出口１９から送気し得るように、温度制御信号を空調装置１７に出力し、空調装置１７を制御する（送気温度制御手段）（Ｓ−４４）。
【０１３８】
なお、実測温度（周囲温度）３０（℃）、実測湿度（周囲絶対湿度）０．０３０（ｋｇ／ｋｇ（ＤＡ））、実測離間距離（離間距離）１．３５（ｍ）の実測データにおいて、コントローラ１６は、周囲温度３０（℃）、周囲絶対湿度０．０３０（ｋｇ／ｋｇ（ＤＡ））、離間距離１．３〜１．６７５，１．１〜１．４５，０．９〜１．２２５（ｍ）の適用条件データにそれら実測データを当て嵌める。このとき、実測離間距離１．３５（ｍ）が送気温度１７，１８（℃）に当て嵌る（図７参照）。この場合、コントローラ１６は、欠落した送気温度１７，１８（℃）に対応する離間距離１．３５（ｍ）の範囲内に最適送気温度が入っていると、それら最適送気温度のうちの最も高い温度の最適送気温度１８（℃）を選択する（送気温度１９（℃）では、ＳＥＴ＊の最適域が離間距離からはみだしている（離間距離内に入っていない）から、最適送気温度として１９（℃）を選択しない）（最適送気温度決定手段）。したがって、吹出口１９から送気する空調空気の最適送気温度を１８（℃）に決定する。コントローラ１６は、最適送気温度決定手段によって選択された最も高い温度の最適送気温度１８（℃）の空調空気を吹出口１９から送気し得るように空調装置１７を制御する（送気温度制御手段）。
【０１３９】
第１〜第３補間手段の実行の他の一例は以下のとおりである。たとえば、実測温度（周囲温度）が３０（℃）、実測湿度（周囲絶対湿度）が０．０２８（ｋｇ／ｋｇ（ＤＡ））、実測離間距離（離間距離）が１．４６（ｍ）である場合、コントローラ１６は、第１〜第３補間手段を実行し（Ｓ−４６）、図３において欠落した周囲温度３０（℃）に隣接する周囲温度２９（℃）と周囲温度３１（℃）とを用いて線形補間を行うとともに、送気温度１７〜１９（℃）に隣接する送気温度１６（℃）と送気温度２０（℃）とを用いて線形補間を行い、さらに、周囲絶対湿度０．０２８（ｋｇ／ｋｇ（ＤＡ））に隣接する周囲絶対湿度０．０２５（ｋｇ／ｋｇ（ＤＡ））と周囲絶対湿度０．０３０（ｋｇ／ｋｇ（ＤＡ））とを用いて線形補間を行い、その欠落した周囲温度３０（℃）、送気温度１７〜１９（℃）、周囲絶対湿度０．０２６〜０．０３０（ｋｇ／ｋｇ（ＤＡ））に対応する離間距離を求める（図８，９参照）。
【０１４０】
コントローラ１６は、図８，９の手順によって求めた離間距離１．２４〜１．５９（ｍ）、１．２０５〜１．５５５（ｍ）、１．１７〜１．５２（ｍ）、１．１３５〜１．４８５（ｍ）（周囲温度３０（℃）、送気温度１７〜１９（℃）、周囲絶対湿度０．０２６〜０．０３０（ｋｇ／ｋｇ（ＤＡ））、適用条件データ識別子を含む）実測温度（周囲温度）３０（℃）、実測湿度（周囲絶対湿度）０．０２８（ｋｇ／ｋｇ（ＤＡ））、実測離間距離（離間距離）１．４６（ｍ）を第１〜第３補間手段によって求めた適用条件データに当て嵌め、そのときの送気温度１８（℃）を最適送気温度と判断し、吹出口１９から送気する空調空気の最適送気温度１８（℃）を決定する（最適送気温度決定手段）（Ｓ−４７）。コントローラ１６は、ステップ４７（Ｓ−４７）の最適送気温度決定手段によって決定した最適送気温度１８（℃）の空調空気を吹出口１９から送気し得るように、温度制御信号を空調装置１７に出力し、空調装置１７を制御する（送気温度制御手段）（Ｓ−４４）。
【０１４１】
なお、実測温度（周囲温度）３０（℃）、実測湿度（周囲絶対湿度）０．０２８（ｋｇ／ｋｇ（ＤＡ））、実測離間距離（離間距離）１．４６（ｍ）の実測データにおいて、コントローラ１６は、周囲温度３０（℃）、周囲絶対湿度０．０２６〜０．０２９（ｋｇ／ｋｇ（ＤＡ））、離間距離１．２４〜１．５９、１．２０５〜１．５５５、１．１７〜１．５２、１．１３５〜１．４８５（ｍ）の適用条件データにそれら実測データを当て嵌める。このとき、実測離間距離１．４６（ｍ）が送気温度１７〜１９（℃）に当て嵌る（図８，９参照）。この場合、コントローラ１６は、欠落した送気温度１７〜１９（℃）に対応する離間距離１．４６（ｍ）の範囲内に最適送気温度が入っていると、それら最適送気温度のうちの最も高い温度の最適送気温度１８（℃）を選択する（送気温度１９（℃）では、ＳＥＴ＊の最適域が離間距離からはみだしている（離間距離内に入っていない）から、最適送気温度として１９（℃）を選択しない）（最適送気温度決定手段）。したがって、吹出口１９から送気する空調空気の最適送気温度を１８（℃）に決定する。コントローラ１６は、最適送気温度決定手段によって選択された最も高い温度の最適送気温度１８（℃）の空調空気を吹出口１６から送気し得るように空調装置１７を制御する（送気温度制御手段）。
【０１４２】
図１７のフローチャートに示す温度コントロールを行うシステム１０は、図１６に示す温度コントロールを行うシステム１０が有する効果に加え、以下の効果を有する。図１７のフローチャートに示す温度コントロールを行うシステム１０は、適用条件データにおいて特定の周囲温度が欠落している場合、その欠落した周囲温度に隣接する周囲温度を用いて線形補間を行い（第１補間手段）、その欠落した周囲温度に対応する離間距離を求めるから、適用条件データにおいてすべての周囲温度とそれに対応する離間距離とを網羅することができ、周囲温度やそれに対応する離間距離の欠落のない適用条件データを作ることができる。このシステム１０は、周囲温度やそれに対応する離間距離の欠落のない適用条件データに実測温度と実測湿度と実測離間距離とを当て嵌め、吹出口１９から送気する空調空気の最適送気温度を決定し、決定した最適送気温度の空調空気を吹出口１９から送気し得るように空調装置１７を制御するから、工場やビル等の建物の内部空間に形成された作業エリア１２の温度を新標準有効温度（ＳＥＴ＊）の最適範囲内にすることができ、作業エリア１２の体感温度を快適に維持することができる。また、欠落した周囲温度に対応する離間距離を求めたときに、欠落した周囲温度に対応する離間距離の範囲内に最適送気温度が入っていると、それら最適送気温度のうちの最も高い温度の最適送気温度を選択し、選択した最も高い温度の最適送気温度の空調空気を吹出口１９から送気し得るように空調装置１７を制御するから、最も低い温度の最適送気温度を採用する場合と比較し、空調装置１７の出力を減少させることができ、システム１０におけるエネルギーの消費を減少させることができる。
【０１４３】
図１７のフローチャートに示す温度コントロールを行うシステム１０は、適用条件データにおいて特定の送気温度が欠落している場合、その欠落した送気温度に隣接する送気温度を用いて線形補間を行い（第２補間手段）、その欠落した送気温度に対応する離間距離を求めるから、適用条件データにおいてすべての送気温度とそれに対応する離間距離とを網羅することができ、送気温度やそれに対応する離間距離の欠落のない適用条件データを作ることができる。このシステム１０は、送気温度やそれに対応する離間距離の欠落のない適用条件データに実測温度と実測湿度と実測離間距離とを当て嵌め、吹出口１９から送気する空調空気の最適送気温度を決定し、決定した最適送気温度の空調空気を吹出口１９から送気し得るように空調装置１７を制御するから、建物の内部空間に形成された作業エリア１２の温度を新標準有効温度（ＳＥＴ＊）の最適範囲内にすることができ、作業エリア１２の体感温度を快適に維持することができる。また、欠落した送気温度に対応する離間距離を求めたときに、欠落した送気温度に対応する離間距離の範囲内に最適送気温度が入っていると、それら最適送気温度のうちの最も高い温度の最適送気温度を選択し、選択した最も高い温度の最適送気温度の空調空気を吹出口１９から送気し得るように空調装置１７を制御するから、最も低い温度の最適送気温度を採用する場合と比較し、空調装置１７の出力を減少させることができ、システム１０におけるエネルギーの消費を減少させることができる。
【０１４４】
図１７のフローチャートに示す温度コントロールを行うシステム１０は、適用条件データにおいて特定の周囲絶対湿度が欠落している場合、その欠落した周囲絶対湿度に隣接する周囲絶対湿度を用いて線形補間を行い（第３補間手段）、その欠落した周囲絶対湿度に対応する離間距離を求めるから、適用条件データにおいてすべての周囲絶対湿度とそれに対応する離間距離とを網羅することができ、周囲絶対湿度やそれに対応する離間距離の欠落のない適用条件データを作ることができる。このシステム１０は、周囲絶対湿度やそれに対応する離間距離の欠落のない適用条件データに実測温度と実測湿度と実測離間距離とを当て嵌め、吹出口１９から送気する空調空気の最適送気温度を決定し、決定した最適送気温度の空調空気を吹出口１９から送気し得るように空調装置１７を制御するから、建物の内部空間に形成された作業エリア１２の温度を新標準有効温度（ＳＥＴ＊）の最適範囲内にすることができ、作業エリア１２の体感温度を快適に維持することができる。また、欠落した周囲絶対湿度に対応する離間距離を求めたときに、欠落した周囲絶対湿度に対応する離間距離の範囲内に最適送気温度が入っていると、それら最適送気温度のうちの最も高い温度の最適送気温度を選択し、選択した最も高い温度の最適送気温度の空調空気を吹出口１９から送気し得るように空調装置１７を制御するから、最も低い温度の最適送気温度を採用する場合と比較し、空調装置１７の出力を減少させることができ、システム１０におけるエネルギーの消費を減少させることができる。
【符号の説明】
【０１４５】
１０    作業エリア温度コントローラシステム
１２    作業エリア
１３    スポット空調設備
１４    温度センサ
１５    湿度センサ
１６    コントローラ
１７    空調装置
１９    吹出口
【図１】
0005411063.tif 000002
【図２】
0005411063.tif 000003
【図３】
0005411063.tif 000004
【図４】
0005411063.tif 000005
【図５】
0005411063.tif 000006
【図６】
0005411063.tif 000007
【図７】
0005411063.tif 000008
【図８】
0005411063.tif 000009
【図９】
0005411063.tif 000010
【図１０】
0005411063.tif 000011
【図１１】
0005411063.tif 000012
【図１２】
0005411063.tif 000013
【図１３】
0005411063.tif 000014
【図１４】
0005411063.tif 000015
【図１５】
0005411063.tif 000016
【図１６】
0005411063.tif 000017
【図１７】
0005411063.tif 000018